(57)【要約】  通信デバイスのための優先連絡先グループ中心のインタフェースを使用して、ユーザによる通信が円滑にされることが可能である。ユーザインタフェースは、ディスプレイ上の、ユーザの「ホームページ」から、タイムアウト期間が満了した後にアクセスされる待ち受け画面から、または優先連絡先グループ中心の体験を活性化する他の任意の適切な機構から、活性化するように構成されることが可能である。ユーザが、数々のユーザの連絡先のなかから、優先連絡先グループを選択する。連絡先グループが構成されると、それらの連絡先に利用可能な任意の数の通信モードを活性化するのに、ほんの少数のナビゲーション/選択フィーチャしか必要とされない。連絡先グループは、連絡先メンバ間の簡単で迅速なナビゲーションが達せられるように構成される。連絡先グループは、2次元の配置、および3次元の配置で、任意の数のリスト構成または形状構成で提示されることが可能である。価格設定プランが、オプションとして、連絡先グループの各メンバに結び付けられることが可能である。【特許請求の範囲】
【請求項１】
ディスプレイ画面を含む無線遠隔通信デバイスのユーザのためのユーザインタフェースであって、
前記ユーザに関連付けられた優先連絡先グループと、
前記優先連絡先グループのいずれかの連絡先にそれぞれが割り当てられるグラフィックアイコンセットと、
前記ユーザインタフェースに関連付けられた待ち受けディスプレイページと、
前記グラフィックアイコンセットの少なくとも一部を含み、前記グラフィックアイコンの1つが、現在選択されている連絡先に対応する、前記待ち受けディスプレイページの第1の領域内で第1の軸を中心とするグラフィックアイコンの配列と、
デフォルトの選択と、前記第1の軸に関して前記グラフィックアイコンの前記少なくとも一部のなかで移動することにより、前記現在選択されている連絡先を変更するようにユーザ入力に応答するナビゲーションファンクションとの少なくともいずれかに応答して、前記優先連絡先グループの1つを選択するように構成される選択ファンクションと、
前記現在選択されている連絡先を相手とする通信が開始されるように、シングルクリックユーザ入力に応答して選択的に活性化される事前選択された通信モードと、前記現在選択されている連絡先に関連付けられた、利用可能な通信モードの配列を含む、前記待ち受けディスプレイページからのシングルクリックユーザ入力によって選択的に活性化される通信オプションメニューとの少なくともいずれかとを含むユーザインタフェース。
【請求項２】
前記待ち受けディスプレイページ上のグラフィックアイコンの前記配列は、線形リスト、垂直リスト、水平リスト、対角リスト、円形、半円形、楕円形、三角形、ダイヤモンド形、U字形、L字形、正方形、四角形、五角形、六角形、別の幾何パターン形状、2次元パターン、および3次元パターンの少なくとも1つを含むパターンに従って配置される請求項1に記載のユーザインタフェース。
【請求項３】
前記第1の軸は、前記待ち受けディスプレイページの前記第1の領域内の中心軸に相当し、前記ナビゲーションファンクションは、前記中心軸を中心として前記グラフィックアイコンの前記少なくとも一部を回転させることにより、前記現在選択されている連絡先を変更するように構成される請求項1に記載のユーザインタフェース。
【請求項４】
前記第1の軸は、前記待ち受けディスプレイページの前記第1の領域内の直線軸に相当し、前記ナビゲーションファンクションは、前記直線軸に沿って前記グラフィックアイコンの前記少なくとも一部のなかで移動することにより、前記現在選択されている連絡先を変更するように構成される請求項1に記載のユーザインタフェース。
【請求項５】
前記優先連絡先グループからの或る特定の連絡先に関連付けられたオプションを変更するように構成されたオプションメニューをさらに含み、前記オプションメニューは、前記現在選択されている連絡先のプロファイルを変更するため、現在選択されている連絡先を置き換えるため、および前記優先連絡先グループに関して、前記現在選択されている連絡先に関連付けられた順序を変更するための選択肢のグラフィック表示を含む請求項1に記載のユーザインタフェース。
【請求項６】
前記優先連絡先グループからの前記連絡先の少なくとも1つに着信音を割り当てるための手段をさらに含む請求項1に記載のユーザインタフェース。
【請求項７】
前記現在選択されている連絡先に関連する活動ログを表示するための手段をさらに含む請求項1に記載のユーザインタフェース。
【請求項８】
前記グループからの前記連絡先の或る特定の連絡先に関連する動的に割り当てられたステータス標識をさらに含み、前記ステータス標識は、不在電話コール、電子メールメッセージが待っていること、テキストメッセージが待っていること、ボイスメッセージが待っていること、およびピクチャメッセージが待っていることの少なくとも1つを識別する請求項1に記載のユーザインタフェース。
【請求項９】
各ステータス標識は、グラフィックアイコン標識とテキストストリング標識の少なくともいずれかを含む請求項8に記載のユーザインタフェース。
【請求項１０】
前記グループからの前記連絡先の或る特定の連絡先に関連する動的に割り当てられたステータス標識をさらに含み、前記ステータス標識は、前記特定の連絡先に関連するプレゼンス、前記特定の連絡先に関連する来るべき日付、前記特定の連絡先に関連する気分レベル、前記特定の連絡先に関連する現在のロケーション、および前記特定の連絡先に関連する関連情報の少なくとも1つを識別する請求項1に記載のユーザインタフェース。
【請求項１１】
前記グループからの前記連絡先の或る特定の連絡先に関連する動的に割り当てられたステータス標識をさらに含み、前記ステータス標識は、前記連絡先の前記特定の連絡先に関連するプレゼンスを識別し、前記プレゼンスは、ユーザによって定義されたプレゼンスアイコン、ユーザによって定義されたプレゼンステキストストリング、「不在」標識、「オンライン」標識、「対応可能」標識、「昼食で外出中」標識、「オフライン」標識、「対応不能」標識、および「ビジー」標識の少なくとも1つに相当する請求項1に記載のユーザインタフェース。
【請求項１２】
前記ディスプレイページからグラフィックアイコンの前記配列を隠すための手段をさらに含む請求項1に記載のユーザインタフェース。
【請求項１３】
前記ディスプレイページからグラフィックアイコンの前記配列を隠さなくするための手段をさらに含む請求項12に記載のユーザインタフェース。
【請求項１４】
前記事前選択された通信モードが、前記ユーザによって変更されることが可能であるように前記事前選択された通信モードをユーザが選択するための手段をさらに含む請求項1に記載のユーザインタフェース。
【請求項１５】
前記選択ファンクションは、グラフィック効果によって、前記現在選択されている連絡先を示すようにユーザ入力に応答し、前記グラフィック効果は、アニメーション効果、ハイライト効果、フェードイン効果、フェードアウト効果、フライイン効果、フライアウト効果、ディゾルブイン効果、ディゾルブアウト効果、スパイラルイン効果、スパイラルアウト効果、スライドイン効果、およびスライドアウト効果の少なくとも1つを含む請求項1に記載のユーザインタフェース。
【請求項１６】
前記選択ファンクションは、前記現在選択されている連絡先に関連するグラフィックセレクタを、前記ディスプレイ画面上の現在のロケーションから、前記ディスプレイ画面上の、グラフィックアイコンに関連する新たなロケーションに移動することにより、前記第1の軸に関して、前記グラフィックアイコンの前記少なくとも一部のなかを移動するようにユーザ入力に応答し、前記現在のロケーションと前記新たなロケーションとの間のパスは、直線方向、非直線方向、およびアーチ形方向の1つに相当し、前記グラフィックセレクタは、前記現在選択されている連絡先の視覚的指示を提供するように構成される請求項1に記載のユーザインタフェース。
【請求項１７】
前記選択ファンクションは、選択されていない連絡先に関連するグラフィックアイコンを、前記ディスプレイ画面上の、現在選択されている連絡先に関連するロケーションに移動することにより、前記第1の軸に関して、前記グラフィックアイコンの前記少なくとも一部のなかで移動するようにユーザ入力に応答し、前記現在のロケーションと前記新たなロケーションとの間の方向は、直線方向、非直線方向、およびアーチ形方向の1つに相当する請求項1に記載のユーザインタフェース。
【請求項１８】
前記ディスプレイ画面上に前記通信オプションメニューが表示されている間に第2のナビゲーションファンクションに応答して、前記現在選択されている連絡先が変更されるように、ユーザ入力に応答する該第2のナビゲーションファンクションをさらに含む請求項1に記載のユーザインタフェース。
【請求項１９】
シングルクリックに応答して前記利用可能な通信モードの1つから選択された通信モードを選択的に活性化するように構成された第2の選択ファンクションをさらに含み、前記選択された通信モードは、デフォルトの通信モードと、前記ディスプレイ画面上に前記通信オプションメニューが表示されている間に第2のナビゲーションファンクションに応答して、現在選択されている通信モードが変更されるように、ユーザ入力に応答する該第2のナビゲーションファンクションとの少なくともいずれかによって決定される請求項1に記載のユーザインタフェース。
【請求項２０】
シングルクリックのユーザによって開始された選択に応答して前記通信オプションメニューから選択される通信方法をさらに含み、前記選択された通信方法に関連するアドレス指定は、さらなるユーザ対話なしに自動的に決定される請求項1に記載のユーザインタフェース。
【請求項２１】
前記通信オプションメニューは、前記ディスプレイ画面に関する第2の軸を中心とする第2のグラフィックアイコン配列を含み、前記第2のグラフィックアイコン配列は、利用可能な通信モードを示すグラフィックアイコンセットの少なくとも一部を含み、利用可能な通信モードを示す前記グラフィックアイコンのいずれかは、現在選択されている通信モードに対応する請求項1に記載のユーザインタフェース。
【請求項２２】
前記現在選択されている通信モードは、前記通信オプションメニューが活性である場合に、さらなるナビゲーションファンクションに応答して変更されて、前記現在選択されている通信モードが、前記第2の軸に関して、利用可能な通信モードを示すグラフィックアイコンセットの前記少なくとも一部のあいだで回転することによって変更されるようになる請求項21に記載のユーザインタフェース。
【請求項２３】
前記さらなるナビゲーションファンクションは、グラフィック効果によって前記現在選択されている通信モードを示すようにユーザ入力に応答し、前記グラフィック効果は、アニメーション効果、ハイライト効果、フェードイン効果、フェードアウト効果、フライイン効果、フライアウト効果、ディゾルブイン効果、ディゾルブアウト効果、スパイラルイン効果、スパイラルアウト効果、スライドイン効果、およびスライドアウト効果の少なくとも1つを含む請求項22に記載のユーザインタフェース。
【請求項２４】
前記さらなるナビゲーションファンクションは、前記現在選択されている通信モードに関連するグラフィックセレクタを、前記ディスプレイ画面上の現在のロケーションから、前記ディスプレイ画面上の、或る特定のグラフィックアイコンに関連する新たなロケーションに移動することにより、前記第2の軸に関して、利用可能な通信モードを示す前記グラフィックアイコンセットの少なくとも一部のなかで移動するようにユーザ入力に応答し、前記現在のロケーションと前記新たなロケーションとの間のパスは、直線方向、非直線方向、およびアーチ形方向の1つに相当し、前記グラフィックセレクタは、前記現在選択されている通信モードの視覚的指示を提供するように構成される請求項22に記載のユーザインタフェース。
【請求項２５】
前記さらなるナビゲーションファンクションは、選択されていない通信モードに関連する或る特定のグラフィックアイコンを、前記ディスプレイ画面上の、現在選択されている通信モードに関連するロケーションに移動することにより、前記第2の軸に関して、利用可能な通信モードを示す前記グラフィックアイコンセットの少なくとも一部のなかで移動するようにユーザ入力に応答し、前記現在のロケーションと前記新たなロケーションとの間の方向は、直線方向、非直線方向、およびアーチ方向の1つに相当する請求項22に記載のユーザインタフェース。
【請求項２６】
前記通信モードは、電話コール、テキストベースのインスタントメッセージ、SMSメッセージ、ピクチャメッセージ、マルチメディアメッセージ、ボイスメッセージ、および電子メールメッセージの少なくとも1つに対応する請求項1に記載のユーザインタフェース。
【請求項２７】
前記ユーザからの連絡先選択入力に応答して、前記優先連絡先グループの少なくとも1つのメンバを変更するように構成された連絡先選択ユーザインタフェースをさらに含む請求項1に記載のユーザインタフェース。
【請求項２８】
前記連絡先選択ユーザインタフェースは、連絡先が、所定の期間中に1回を超えて変更されることが可能でないように構成される請求項27に記載のユーザインタフェース。
【請求項２９】
前記ユーザからのグラフィック選択入力に応答して、前記優先連絡先グループの1つの連絡先に割り当てられた少なくとも1つのグラフィックアイコンを変更するように構成されたグラフィックアイコン選択手段をさらに含む請求項1に記載のユーザインタフェース。
【請求項３０】
前記優先連絡先グループからの或る特定の連絡先に関連するオプションを選択的に変更するために構成されたオプションユーザインタフェースをさらに含み、前記オプションは、前記グループに関して、前記特定の連絡先に関連する順序、前記特定の連絡先に関連するプロファイル、および前記特定の連絡先の置き換えの少なくとも1つを含む請求項1に記載のユーザインタフェース。
【請求項３１】
前記優先連絡先グループに関連付けられた通信事業者価格設定プランをさらに含む請求項1に記載のユーザインタフェース。
【請求項３２】
前記通信事業者価格設定プランは、前記優先連絡先グループとの無制限の無線通信、前記優先連絡先グループへの無制限の無線電話コール、前記優先連絡先グループへの無制限のインスタントメッセージング、前記優先連絡先グループへの無制限のSMSメッセージング、前記優先連絡先グループへの無制限のピクチャメッセージング、前記優先連絡先グループへの無制限のマルチメディアメッセージング、および前記優先連絡先グループへの無制限の電子メールの少なくとも1つを含む定額料金価格設定プランを含む請求項31に記載のユーザインタフェース。
【請求項３３】
通信事業者価格設定プランは、前記優先連絡先グループの1つの連絡先を変更するための定額料金を含む請求項31に記載のユーザインタフェース。
【請求項３４】
前記グラフィックアイコン配列は、前記ディスプレイ画面上の所定の画面ロケーションの付近に配置される請求項1に記載のユーザインタフェース。
【請求項３５】
前記グラフィックアイコン配列は、前記ディスプレイ画面上のユーザ選択可能な画面ロケーションの付近に配置される請求項1に記載のユーザインタフェース。
【請求項３６】
キーパッド、方向キー、動的に割り当てられるソフトキー、ジョイパッド、ジョイスティックスタイルのインタフェース、トラックボールスタイルのインタフェース、ホイールスタイルのインタフェース、タッチ画面スタイルのインタフェース、およびスタイラススタイルのインタフェースの少なくとも1つを含む、ナビゲーションファンクションのための前記ユーザ入力の役割をするように構成されたナビゲーション手段をさらに含む請求項1に記載のユーザインタフェース。
【請求項３７】
キーパッド、方向キー、動的に割り当てられるソフトキー、ジョイパッド、ジョイスティックスタイルのインタフェース、トラックボールスタイルのインタフェース、ホイールスタイルのインタフェース、タッチ画面スタイルのインタフェース、およびスタイラススタイルのインタフェースの少なくとも1つを含む、前記選択ファンクションのための前記ユーザ入力の役割をするように構成された選択手段をさらに含む請求項1に記載のユーザインタフェース。
【請求項３８】
前記ナビゲーションファンクションは、前記ユーザ入力に応答して、前記現在選択されている連絡先が変更される際に、アニメーション回転効果、ピクチャ入れ替え効果、フェードイン効果、フェードアウト効果、フライイン効果、フライアウト効果、ディゾルブイン効果、ディゾルブアウト効果、スパイラルイン効果、スパイラルアウト効果、スライドイン効果、およびスライドアウト効果の少なくとも1つを含むグラフィックス効果を提供するようにさらに構成される請求項1に記載のユーザインタフェース。
【請求項３９】
前記グラフィックアイコンセットからの各グラフィックアイコンは、デフォルトのグラフィックアイコン、デフォルトのピクチャアイコン、ユーザによって選択されたグラフィックアイコン、ユーザによって選択されたピクチャアイコン、アイコンとしてフォーマットされたユーザによって選択された写真、およびアイコンとしてフォーマットされたダウンロードされたピクチャの少なくとも1つを含む請求項1に記載のユーザインタフェース。
【請求項４０】
或る写真の或る領域が、ユーザ入力に応答してトリミングされるように選択され、前記写真の前記選択された領域に関してグラフィックアイコンが、生成され、前記グラフィックアイコンが、前記優先連絡先グループに関連付けられた前記グラフィックアイコンセットからの1つのアイコンとして割り当てられるように構成された写真編集ツールをさらに含む請求項1に記載のユーザインタフェース。
【請求項４１】
前記ユーザに関連付けられたユーティリティグループと、
前記ユーティリティグループの1つのユーティリティにそれぞれが割り当てられた第2のグラフィックアイコンセットと、
前記第2のグラフィックアイコンセットの少なくとも一部分を含む、前記待ち受けディスプレイページの第2の領域内で第2の軸を中心とする第2のグラフィックアイコン配列と、
前記第1の領域内の前記グラフィックアイコンセットと、前記現在選択されている領域が、前記第2の領域に相当する場合に、現在選択されているユーティリティに1つのグラフィックアイコンが対応する、前記第2の領域内の前記第2のグラフィックアイコンセットとの間で移動するように構成された第2のナビゲーションファンクションとをさらに含む請求項1に記載のユーザインタフェース。
【請求項４２】
前記現在選択されているユーティリティが開始されるように、シングルクリックユーザ入力に応答して活性化されるユーティリティ活性化ファンクションをさらに含む請求項41に記載のユーザインタフェース。
【請求項４３】
前記待ち受けディスプレイページ上の前記第2のグラフィックアイコン配列は、線形リスト、垂直リスト、水平リスト、対角リスト、円形、半円形、楕円形、三角形、ダイヤモンド形、U字形、L字形、アーチ形、正方形、四角形、五角形、六角形、別の幾何パターン形状、2次元パターン、および3次元パターンの少なくとも1つを含むパターンに従って配置される請求項41に記載のユーザインタフェース。
【請求項４４】
前記第2の軸は、前記待ち受けディスプレイページの前記第2の領域内の中心軸に相当し、前記第2のナビゲーションファンクションは、前記中心軸を中心として前記グラフィックアイコンの前記少なくとも一部を回転させることにより、前記現在選択されているユーティリティを変更するように構成される請求項41に記載のユーザインタフェース。
【請求項４５】
前記第2の軸は、前記待ち受けディスプレイページの前記第2の領域内の直線軸に相当し、前記第2のナビゲーションファンクションは、前記直線軸に沿って前記グラフィックアイコンの前記少なくとも一部のなかで移動することにより、前記現在選択されているユーティリティを変更するように構成される請求項41に記載のユーザインタフェース。
【請求項４６】
前記ユーティリティグループの各ユーティリティは、電子メールマネージャ、カレンダマネージャ、連絡先マネージャ、ウェブブラウザ、インスタントメッセンジャユーティリティ、テキストメッセージングユーティリティ、ドキュメントビューア、設定マネージャ、デジタルカメラユーティリティ、ビデオレコーダユーティリティ、ボイスレコーダユーティリティ、メディアプレーヤユーティリティ、およびゲームの少なくとも1つに相当する請求項41に記載のユーザインタフェース。
【請求項４７】
前記ユーティリティグループの少なくとも1つのユーティリティは、トグルユーティリティに相当し、前記トグルユーティリティは、前記ユーザによって活性化されると、前記待ち受けディスプレイページから前記グラフィックアイコンセットを選択的に隠すように構成される請求項41に記載のユーザインタフェース。
【請求項４８】
前記トグルユーティリティは、前記ユーザによって活性化されると、前記待ち受けディスプレイページから前記グラフィックアイコンセットを選択的に隠さなくするようにさらに構成される請求項47に記載のユーザインタフェース。
【請求項４９】
デフォルトの選択と、前記第2の軸に関して、前記第2のグラフィックアイコンセットの前記少なくとも一部のなかで移動することにより、前記現在選択されているユーティリティを変更するように前記ユーザ入力に応答する第3のナビゲーションファンクションとの少なくともいずれかに応答して、前記ユーティリティグループの1つのユーティリティを選択するように構成された第2の選択ファンクションをさらに含む請求項41に記載のユーザインタフェース。
【請求項５０】
前記第2の選択ファンクションは、前記現在選択されているユーティリティに関連するグラフィックセレクタを、前記ディスプレイ画面上の現在のロケーションから、前記ディスプレイ画面上の、或るグラフィックアイコンに関連する新たなロケーションに移動することにより、前記第2の軸に関して、前記グラフィックアイコンの少なくとも一部のなかで移動するようにユーザ入力に応答し、前記現在のロケーションと前記新たなロケーションとの間のパスは、直線方向、非直線方向、およびアーチ方向の1つに相当し、前記グラフィックセレクタは、前記現在選択されているユーティリティの視覚的指示を提供するように構成される請求項49に記載のユーザインタフェース。
【請求項５１】
前記第2の選択ファンクションは、選択されていないユーティリティに関連するグラフィックアイコンを、前記ディスプレイ画面上の、現在選択されているユーティリティに関連するロケーションに移動することにより、前記第2の軸に関して、前記グラフィックアイコンの少なくとも一部のなかで移動するようにユーザ入力に応答し、前記現在のロケーションと前記新たなロケーションとの間の方向は、直線方向、非直線方向、およびアーチ方向の1つに相当する請求項49に記載のユーザインタフェース。
【請求項５２】
前記ユーザからのユーティリティ選択入力に応答して、前記ユーティリティグループの少なくとも1つのメンバを変更するように構成されたユーティリティ選択ユーザインタフェースをさらに含む請求項41に記載のユーザインタフェース。
【請求項５３】
前記第2のグラフィックアイコンセットの前記配列は、前記ディスプレイ画面上の所定の画面ロケーションの付近に配置される請求項41に記載のユーザインタフェース。
【請求項５４】
前記第2のグラフィックアイコンセットの前記配列は、前記ディスプレイ画面上のユーザ選択可能な画面ロケーションの付近に配置される請求項41に記載のユーザインタフェース。
【請求項５５】
ディスプレイ画面を含む無線遠隔通信デバイスのユーザのためのユーザインタフェースであって、
前記ユーザに関連付けられた優先連絡先グループと、
前記優先連絡先グループのいずれかの連絡先にそれぞれが割り当てられた第1のグラフィックアイコンセットと、
前記ユーザに関連付けられたユーティリティグループと、
前記ユーティリティグループのいずれかの連絡先にそれぞれが割り当てられた第2のグラフィックアイコンセットと、
前記優先連絡先グループと前記ユーティリティグループの和集合を含む合同グループと、
前記ユーザインタフェースに関連付けられた待ち受けディスプレイページと、
前記合同グループに関する前記アイコンの少なくとも一部を含む、前記待ち受けディスプレイページの或る領域内の或る軸を中心とする、1つのグラフィックアイコンが、現在選択されているアイコンに相当し、前記現在選択されているアイコンが、現在選択されている連絡先と、現在選択されているユーティリティとのいずれかに関連するグラフィックアイコン配列と、
デフォルトの選択と、前記軸に関して、前記グラフィックアイコンの前記少なくとも一部のなかで移動することにより、前記現在選択されているアイコンを変更するようにユーザ入力に応答するナビゲーションファンクションとの少なくともいずれかに応答して、前記グラフィックアイコン配列の前記アイコンの1つを選択するように構成された選択ファンクションと、
前記現在選択されているユーティリティが活性化されるように、シングルクリックユーザ入力に応答して選択的に活性化されるアプリケーションランチャ、前記現在選択されている連絡先との通信が開始されるように、シングルクリックユーザ入力に応答して選択的に活性化される事前選択された通信モード、および前記現在選択されている連絡先に関連付けられた利用可能な通信モードの配列を含む、前記待ち受けディスプレイページからのシングルクリックユーザ入力によって選択的に活性化される通信オプションメニューの少なくとも1つとを含むユーザインタフェース。
【請求項５６】
前記待ち受けディスプレイページ上の前記グラフィックアイコン配列は、線形リスト、垂直リスト、水平リスト、対角リスト、円形、半円形、楕円形、三角形、ダイヤモンド形、U字形、L字形、アーチ形、正方形、四角形、五角形、六角形、別の幾何パターン形状、2次元パターン、および3次元パターンの少なくとも1つを含むパターンに従って配置される請求項55に記載のユーザインタフェース。
【請求項５７】
前記軸は、前記待ち受けディスプレイページの前記領域内の中心軸に相当し、前記ナビゲーションファンクションは、前記中心軸を中心として前記グラフィックアイコンの前記少なくとも一部を回転させることにより、前記現在選択されているアイコンを変更するように構成される請求項55に記載のユーザインタフェース。
【請求項５８】
前記軸は、前記待ち受けディスプレイページの前記領域内の直線軸に相当し、前記ナビゲーションファンクションは、前記直線軸に沿って前記グラフィックアイコンの前記少なくとも一部のなかで移動することにより、前記現在選択されているアイコンを変更するように構成される請求項55に記載のユーザインタフェース。
【請求項５９】
前記ユーティリティグループの各ユーティリティは、電子メールマネージャ、カレンダマネージャ、連絡先マネージャ、ウェブブラウザ、インスタントメッセンジャユーティリティ、テキストメッセージングユーティリティ、ドキュメントビューア、設定マネージャ、デジタルカメラユーティリティ、ビデオレコーダユーティリティ、ボイスレコーダユーティリティ、メディアプレーヤユーティリティ、およびゲームの少なくとも1つに相当する請求項55に記載のユーザインタフェース。
【請求項６０】
前記ユーティリティグループの少なくとも1つのユーティリティは、トグルユーティリティに相当し、前記トグルユーティリティは、前記ユーザによって活性化されると、前記待ち受けディスプレイページ上の前記グラフィックアイコン配列から前記第1のグラフィックアイコンセットを選択的に隠すように構成される請求項55に記載のユーザインタフェース。
【請求項６１】
前記トグルユーティリティは、前記ユーザによって活性化されると、前記待ち受けディスプレイページ上の前記グラフィックアイコン配列から前記第1のグラフィックアイコンセットを選択的に隠さなくするようにさらに構成される請求項60に記載のユーザインタフェース。
【請求項６２】
前記ナビゲーションファンクションは、前記第2の軸に関して、前記合同グループに関連する前記グラフィックアイコンの少なくとも一部のなかで移動することにより、ユーザ入力に応答して、前記現在選択されているアイコンを変更するように構成される請求項55に記載のユーザインタフェース。
【請求項６３】
前記ナビゲーションは、前記現在選択されているアイコンに関連するグラフィックセレクタを、前記ディスプレイ画面上の現在のロケーションから、前記ディスプレイ画面上の、或るグラフィックアイコンに関連する新たなロケーションに移動することにより、前記軸に関して、前記合同グループに関連する前記グラフィックアイコンの前記少なくとも一部のなかで移動するようにユーザ入力に応答するように構成され、前記現在のロケーションと前記新たなロケーションとの間のパスは、直線方向、非直線方向、およびアーチ方向の1つに相当し、前記グラフィックセレクタは、前記現在選択されているアイコンの視覚的指示を提供するように構成される請求項55に記載のユーザインタフェース。
【請求項６４】
前記ナビゲーションファンクションは、選択されていないアイコンに関連するグラフィックアイコンを、前記ディスプレイ画面上の、現在選択されているアイコンに関連するロケーションに移動することにより、前記軸に関して、前記合同グループに関連する前記グラフィックアイコンの前記少なくとも一部のなかで移動するようにユーザ入力に応答するように構成され、前記現在のロケーションと前記新たなロケーションとの間の方向は、直線方向、非直線方向、およびアーチ方向の1つに相当する請求項55に記載のユーザインタフェース。
【請求項６５】
前記ユーザからのユーティリティ選択入力に応答して、前記ユーティリティグループの少なくとも1つのメンバを変更するように構成されたユーティリティ選択ユーザインタフェースをさらに含む請求項55に記載のユーザインタフェース。
【請求項６６】
前記グラフィックアイコンの前記配列は、前記ディスプレイ画面上の所定の画面ロケーションの付近に配置される請求項55に記載のユーザインタフェース。
【請求項６７】
前記グラフィックアイコンの前記配列は、前記ディスプレイ画面上のユーザ選択可能な画面ロケーションの付近に配置される請求項55に記載のユーザインタフェース。
【請求項６８】
ディスプレイ画面を含む通信デバイスのユーザのためのユーザインタフェースであって、
前記ユーザに関連付けられた優先連絡先グループと、
前記優先連絡先グループに関連付けられたグラフィック標識セットと、
前記優先連絡先グループに関連付けられた通信事業者価格設定プランと、
前記ユーザインタフェースに関連するディスプレイページと、
中心軸を中心として配置された前記グラフィック標識セットの少なくとも一部を含む、前記ディスプレイページ上のグラフィック標識配列と、
前記ユーザからのナビゲーション入力に応答して、前記グラフィック標識の選択された1つを変更するように構成されたナビゲーション手段と、
前記ユーザから入力された選択に応答して、前記グラフィック標識配列の前記選択された1つのグラフィック標識に関連する選択された連絡先に関連付けられた通信手段を開始するように構成された選択手段とを含むユーザインタフェース。
【請求項６９】
ディスプレイ画面を含む通信デバイスのユーザのためのユーザインタフェースであって、
前記ユーザに関連付けられた優先連絡先グループと、
前記優先連絡先グループの1つの連絡先にそれぞれが割り当てられたグラフィックアイコンセットと、
前記ユーザインタフェースに関連する待ち受けディスプレイページと、
現在選択されている連絡先に1つのグラフィックアイコンが対応するグラフィックアイコンの前記セットの少なくとも一部を含む、前記待ち受けディスプレイページ上の或る軸を中心とするグラフィックアイコン配列と、
デフォルトの選択と、前記軸に関して、前記グラフィックアイコンの前記少なくとも一部のなかで移動することにより、前記現在選択されている連絡先を変更するようにユーザ入力に応答するナビゲーションファンクションとの少なくともいずれかに応答して、前記優先連絡先グループの1つの連絡先を選択するように構成された選択ファンクションと、
前記現在選択されている連絡先との通信が開始されるように、シングルクリックユーザ入力に応答して活性化される事前選択された通信モードとを含むユーザインタフェース。
【請求項７０】
ディスプレイ画面を含む通信デバイスのユーザのためのユーザインタフェースであって、
前記ユーザに関連付けられた優先連絡先グループと、
前記優先連絡先グループの1つの連絡先にそれぞれが割り当てられたグラフィックアイコンセットと、
前記ユーザインタフェースに関連する待ち受けディスプレイページと、
現在選択されている連絡先に1つのグラフィックアイコンが対応するグラフィックアイコンの前記セットの少なくとも一部を含む、前記待ち受けディスプレイページ上の或る軸を中心とするグラフィックアイコン配列と、
デフォルトの選択と、前記軸に関して、前記グラフィック標識の前記少なくとも一部のなかで移動することにより、前記現在選択されている連絡先を変更するようにユーザ入力に応答するナビゲーションファンクションとの少なくともいずれかに応答して、前記優先連絡先グループの1つの連絡先を選択するように構成された選択ファンクションと、
前記現在選択されている連絡先に関連付けられた利用可能な通信モードの配列を含む、前記待ち受けディスプレイページからのシングルクリックユーザ入力によって選択的に活性化される通信オプションメニューとを含むユーザインタフェース。
【発明の詳細な説明】
【技術分野】
【０００１】
(関連出願)
本特許出願は、2005年6月10日に出願した米国特許仮出願第60/689581号の利益を米国特許法第119条(e)の下で、2006年4月10日に出願した米国特許出願第11/400925号の利益を米国特許法第120条の下で主張し、これらの特許出願はともに、参照によりともに全体が本明細書に組み込まれている。
【０００２】
本発明は、一般に、通信デバイス上の、ユーザの優先連絡先グループを中心とするユーザインタフェースに関する。
【背景技術】
【０００３】
セルラー電話機は、現代社会において一般的な通信ツールとなっている。「クラムシェル」フリップスタイルのセルラー電話機、非フリップスタイル、つまり、「キャンディバー」スタイルのセルラー電話機、および旋回するディスプレイを有する他のセルラー電話機などの、多種多様なハンドセットスタイルが、入手可能である。セルラー電話機の内部設計は、極めて異なる可能性がある一方で、各セルラー電話機は、一般に、最大限の利便性および快適さのために、人間工学的に設計されている。また、様々なボタン構成およびセレクタキー構成も、利用可能であり、その一部は、人間工学的設計を念頭においており、他の一部は、拡張された専用機能を有する。各セルラー電話機は、独特のユーザ体験セットを提供する、そのセルラー電話機独自のスタイルおよび機能フィーチャを有する。
【０００４】
また、多くの最新のセルラー電話デバイスは、個人情報マネージャ、つまり、PIMにおいて従来、見られる組織化ツールも組み込む。セルラー電話デバイスに組み込まれることが可能なPIM機能の例には、個人コールリスト、ビジネス連絡先コールリスト、電話帳情報、カレンダ、個人リマインダ、およびその他の情報が含まれる。さらに、デジタルスチールカメラおよびデジタルビデオカメラ、MP3プレーヤ、ならびにコンピュータ(電子メール、インスタントテキストメッセージング、および写真メッセージングを含むアプリケーションを有する)などの非遠隔通信デバイスに従来、関連するいくつかのツールおよび機能の普及が、多種多様な非遠隔通信機能を組み込んだセルラー電話デバイスを提供することへの関心を高めている。
【特許文献１】米国特許仮出願第60/689581号
【特許文献２】米国特許出願第11/400925号
【発明の開示】
【発明が解決しようとする課題】
【０００５】
本開示は、以上、およびその他の様々な機能を評価し、企図して、ユーザの優先連絡先グループを中心とする、使い易いユーザインタフェースシステムを提供する。グループ中心のユーザインタフェースは、セルラー通信デバイス、PDA、PIMなどの移動電子デバイスまたはポータブル電子デバイス、ならびに、その他のデバイスにおいて非常に役立つ。さらに、本開示は、特別な請求書発行システムが、連絡先グループに適用可能であることも企図する。
【発明を実施するための最良の形態】
【０００６】
この説明は、ユーザが指定する優先連絡先のいずれかを相手にする、ユーザによる、通信デバイスを介した通信を円滑にするのに使用されることが可能な優先連絡先グループ中心のインタフェースに関する。ユーザインタフェースは、ユーザの通信デバイスのディスプレイ上の、ユーザの「ホームページ」から、タイムアウト期間が満了した後にアクセスされる待ち受け画面から、または優先連絡先グループ中心の体験を活性化する他の任意の適切な機構から、活性化するように構成されることが可能である。
【０００７】
簡単に述べると、通信デバイスに関する優先連絡先グループ中心のインタフェースを使用して、ユーザによる通信が円滑にされることが可能である。ユーザが、数々のユーザの連絡先のなかから、優先連絡先グループを選択する。連絡先グループが構成されると、それらの連絡先に利用可能な任意の数の通信モードを活性化するのに、ほんの少数のナビゲーション/選択フィーチャしか必要とされない。連絡先グループは、連絡先メンバ間の簡単で迅速なナビゲーションが達せられるように構成される。連絡先グループは、2次元の配置、および3次元の配置で、さらに、任意の数のリスト構成または形状構成で提示されることが可能である。価格設定プランが、オプションとして、ユーザと、ユーザの優先連絡先グループとの間の通信サービスの提供に結び付けられてもよい。
【０００８】
優先連絡先グループ中心の体験は、数々のユーザの連絡先のなかから連絡先の迅速で容易な選択(ユーザによって設計されるとおりの)を円滑にし、その後、デフォルトの連絡先の通信モード、またはデフォルト通信モードのシングルクリック起動を含め、様々な通信モードからの迅速で容易なアプリケーション選択を円滑にするように設計される。本明細書に含まれる説明の多くは、インタフェースと関係する5つの重要連絡先のグループ化を示し、連絡先の厳密な数は、重要ではなく、任意の数の連絡先(例えば、10、20、100など)が、個々に、またはグループの一部として使用されることが可能である。さらに、通信デバイスという用語は、例えば、セルラー電話機タイプのデバイス、PDA/PIMスタイルのデバイス、ならびに通信ファシリティを含む他のデバイスなどの、多種多様なデバイスを範囲に含むことを意図する。
【０００９】
一実施例では、5つの優先連絡先の表示が、ユーザの通信デバイスの待ち受け画面上で提示される。ユーザは、シングルクリックで、事前選択されたデフォルトの連絡先のための通信モードを開始することができ、あるいは所望される連絡先がハイライトされるまで、そのような目的で構成されたナビゲーションキー(例えば、アップ/ダウン/左/右キー)を使用して、ユーザの連絡先の間で迅速に移動することができ、次に、単に通信デバイス上の指定されたデフォルトのキーを押すことにより、ハイライトされた連絡先への事前選択されたデフォルトの通信を開始することができ、あるいは、単に、そのような目的で構成されたナビゲーションキー(例えば、アップ/ダウン/左/右キー)を使用し、次に、通信デバイス上の指定された選択ボタンを押すことにより、選択された連絡先と通信するのに利用可能な他の多数の通信モード(例えば、電子メール、インスタントメッセージング、または写真メッセージング)の間で移動することができる。インタフェースは、インタフェース体験が、ユーザの優先連絡先グループからの所望される受信者の選択(手動の、またはデフォルトの)で始まり、その後に、選択された連絡先を相手とする通信の所望されるモードの選択(デフォルトの通信モードのシングルクリック起動を介する、または通信モードメニューを介する)が行われるという点で、連絡先グループ中心的である。
【００１０】
通信デバイス上の一部の従来のアドレス帳メニューが、最低限の量の個人中心の通信を提供するとはいえ、連絡先グループ中心のインタフェースは、このインタフェースが、単一の視覚的に魅力あるインタフェースを介して、優先連絡先と優先通信モードをともに選択する新奇な方法をユーザに提供するという点で、独特である。ユーザの優先連絡先、およびそれらの連絡先と関係する通信オプションは、リストスタイルの配置、円形スタイルの配置、楕円形スタイルの配置、あるいは五角形、六角形、「X」字形、「T」字形、または「+」形の配置などの、他の何らかの形状スタイルの配置で提示されることが可能である。さらに、待ち受け画面上の連絡先の提示を介してアクセス可能な、1つのロケーションにおけるすべての通信モードの提示は、優先連絡先グループ中心のインタフェースに新奇である。優先連絡先グループ中心のインタフェースの様々なビューの例示的な画面ショットが、通信モード画面ショットと一緒に、後段で提示される。ユーザ連絡先は、ユーザによってあらかじめ選択され、ユーザが、ユーザの連絡先を置き換える、または並べ替えるまで、選択された順序のままであり、ユーザインタフェース対話において予測可能性をもたらす。例えば、ユーザが、「MOM」をユーザの最初の連絡先として選択した場合、ユーザが、順序を変更して、ユーザの優先連絡先のなかで別のロケーションに「MOM」を移動するまで、「MOM」を呼び出すのに、指定されたキーのシングルクリックしか要求されない。このことは、優先連絡先グループ中心のインタフェースの重要で新奇な概念であり、現行のユーザインタフェース体験の拡張である。
【００１１】
現行のセルラー電話機ユーザインタフェースは、非常にフィーチャ中心の様態で設計されている。例えば、例えば、従来のセルラー電話機で音声コールを行うのに、ユーザは、通常、デバイスのアドレス帳にアクセスする。テキストメッセージをタイプして、送信するのに、ユーザは、通常、「メッセージ」メニューに最初にアクセスし、次に、そのメニューから「作成」機能を選択し、次に、そのメッセージの所望される受信者を選択することを行わなければならない。一部のセルラー電話機は、ユーザが、例えば、電話帳メニューからテキストメッセージを送信することを許すが、このユーザ体験は、キークリックの回数を最小限に抑えるという点、およびナビゲーションの全体的な容易さの点で、最適ではない。また、従来のユーザインタフェースにおいて、ユーザが、多数のメニューおよびロケーションに移動することが要求されることも、ユーザが、それらのフィーチャを発見する能力に悪影響を与える。要するに、現在のセルラー電話機に関するユーザ体験は、連絡先中心的であるよりも、非常にフィーチャ主導である。
【００１２】
優先連絡先グループ中心のインタフェースは、ユーザの最も所望される連絡先「前面と中心」を、デバイスディスプレイの待ち受け画面(または他の何らかの適切な画面)にもたらす。数々の連絡先のなかからの所望される連絡先の容易で直観的な選択を介して、ユーザは、音声コールを開始すること、テキスト、ピクチャ、ボイスメッセージまたはIM(インスタントメッセージ)を送信すること、または電子メールを送信することなどの、その連絡先と通信するのに利用可能な様々な通信モードに迅速にアクセスすることができる。また、優先連絡先グループ中心のインタフェースは、「前面と中心」プレゼンテーションをもたらす新奇のスケーラブルなユーザ体験も可能にし、そのプレゼンテーションから、新たな通信サービスが追加される。
【００１３】
この概念は、エンドカスタマとサービスプロバイダ(例えば、無線遠隔通信事業者)の両方に利益をもたらす可能性がある。通信デバイスをサポートするサービスプロバイダは、優先連絡先グループ中心のインタフェースの独特な特質と組み合わせて、特別な、望ましい価格設定プランを提供することができる。例えば、サービスプロバイダは、ユーザと、ユーザが指定した優先連絡先との間で無制限の着信音声コールおよび発信音声コールを提供する特別の価格プランを提供することができる。さらなる例として、サービスプロバイダは、無制限のメッセージング、ならびにユーザが指定した優先連絡先と関係するデータ使用を含むように、無制限のサービスの提供を拡張することができる。価格プランのさらなる拡張は、国際番号にコールすることを含むことが可能である。
【００１４】
待ち受け画面は、通信デバイスのフロント/ホーム画面において定義されることが可能であり、サービスプロバイダの名前、バッテリレベル、無線信号強度、日付、時刻を含むことが可能であり、電話のメニュー機能へのアクセスを提供することが可能である。
【００１５】
優先連絡先グループ中心のインタフェースの待ち受け画面上のユーザの連絡先の表示は、トランスペアレンシーを介して、背景の壁紙に組み込まれることが可能である。
【００１６】
別の実施形態では、ユーザの連絡先は、場合により、類似するすべての通信デバイス上で統一された対話を提供するActiveX（登録商標）、Java（登録商標）、Flash（登録商標）、または他の何らかのスクリプトフォーマットもしくは実行可能なフォーマットを含む、ウェブページやWAPページなどの、ネットワーク接続からダウンロードされるウェブ対応のページであることが可能である。連絡先は、ウェブ技術、またはWAP技術、他の無線トランスポート技術、デバイスに対するケーブルインタフェース、または別のデバイス(例えば、パーソナルコンピュータ)への他の接続を介して、管理されることが可能である。
【００１７】
図1は、優先連絡先グループ中心のインタフェースの待ち受け画面の様々な構成(100)の図である。画面ショット110は、ユーザの連絡先グループの中の各連絡先が、グラフィックスディスプレイ上の中心軸のまわりに配置された円形スタイルの待ち受け画面を示す。現在選択されている連絡先が、画面の底部中央部分に示されているが、任意の指定されるロケーションが、選択された連絡先のために使用されることが可能である。例示的な画面ショット110において、グラフィックアイコン(このケースでは、写真)のサイズは、選択された連絡先に関して、選択されていない他の連絡先よりも大きい。例示的な画面ショット110において、グラフィックアイコンのサイズは、軸または回転(後段で説明する)に対する物理的画面ロケーション(例えば、底部中央は、右/左より大きく、右/左は、最上部右および最上部左より大きい)によって決定される。グラフィックアイコンに関連するサイズは、画面ロケーションに関わらず、すべての連絡先に関して同一であること、画面ロケーションに基づいて、すべての連絡先に関して異なること、または他の何らかの指定されたモチーフによることが可能である。選択された連絡先の名前を識別するテキストが、関連付けられたグラフィックアイコンの下に含められる。また、選択された連絡先の名前は、見栄えのよい様態でグラフィック上に重ねられることも可能である。
【００１８】
画面ショット120は、ユーザの連絡先グループの中の各連絡先が、直線軸を中心とする垂直リストとして配置されたリストスタイルの待ち受け画面構成を示し、グラフィックアイコンが、画面の左側に位置付けられ、対応する連絡先名を識別するテキストが、画面の右側に位置付けられている。選択された連絡先は、反転ビデオフォーマット、または他の何らかのグラフィック形態のハイライトで示される。一実施例では、選択された連絡先は、ディスプレイ上の固定ロケーション(例えば、最上の位置、最下の位置、中央位置など)に常に現れ、ユーザインタフェースは、リストを上下に垂直にスクロールするように構成される。別の実施例では、ハイライト標識が、連絡先リストの中を上下に動かされることが可能である。さらに別の実施例では、リストは、ディスプレイの最上部からのスクロールが、リストの底部に続き、リストの底部からのスクロールが、ディスプレイの最上部に続く、ラップ効果を有する。また、リストスタイルの待ち受け画面は、水平に表示されることも可能である。
【００１９】
画面ショット130は、ユーザの連絡先グループの中の各連絡先が、ディスプレイの中心軸のまわりに配置される別の円形スタイルの構成を示し、現在選択されている連絡先が、選択されていない、その他の連絡先の中央に配置されている。例示的な画面ショット130では、グラフィックアイコン(このケースでは、写真)のサイズは、選択された連絡先に関して、選択されていない、その他の連絡先よりも大きい。選択された連絡先の名前を識別するテキストが、グラフィックディスプレイの最下のラインのあたりに含められる。
【００２０】
画面ショット140は、ユーザの連絡先グループの中の各連絡先が、3次元空間のグラフィックスディスプレイ上で中心軸のまわりに配置される、別の円形スタイルの構成を示す。グラフィックアイコン(このケースでは、写真)のサイズは、選択された連絡先に関して、選択されていない、その他の連絡先よりも大きい。選択された連絡先の名前を識別するテキストが、グラフィックアイコンの上、グラフィックアイコンの下、または図に示されるとおり、グラフィックアイコンの最上部に重なって、含められる。グラフィックアイコンは、目に見える面にイメージが巻き付けられた球体のような3次元の外観を有して描かれる。ユーザインタフェースは、選択されたアイコンが、3次元の軸を中心とする回転によって変更されることが可能であるように、構成されることが可能である。3次元の外観を反映するように影が加えられることが可能である。
【００２１】
前述した待ち受け画面のそれぞれは、ユーザが、通信デバイス(例えば、無線通信デバイス、セルラー電話機、PDAまたはPINスタイルのデバイスなど)上の様々なナビゲーションボタン/インタフェースを介して、ユーザの連絡先グループの中の連絡先のグループの間で移動することにより、現在選択されている連絡先を変更することを許す。ユーザが、インタフェースにおいて出現する連絡先のグループの中で移動する際、アニメーション回転効果、ピクチャ入れ替え効果、フェードイン効果、フェードアウト効果、フライイン効果、フライアウト効果、ディゾルブイン効果、ディゾルブアウト効果、スパイラルイン効果、スパイラルアウト効果、スライドイン効果、およびスライドアウト効果などの、様々なグラフィック効果が、ディスプレイ画面に適用されることが可能である。
【００２２】
本明細書で説明される優先連絡先グループ中心のインタフェースは、通信デバイス上のナビゲーション/選択のボタンおよびキー、ならびに電話コールの開始および取り消しのために使用される他の特別に指定されたセレクタに関して説明される。しかし、キーパッド、方向キー、動的に割り当てられるソフトキー、ジョイパッドスタイルのインタフェース、ジョイスティックスタイルのインタフェース、トラックボールスタイルのインタフェース、タッチ画面タイプのインタフェース、およびスタイラスタイプのインタフェースを含むが、以上には限定されない、任意の適切なナビゲーション/選択手段が、この説明の範囲内で企図される。他のナビゲーション/選択手段は、サイドキーの押し下げおよび保持、音声認識、およびジェスチャ認識を含むことが可能である。
【００２３】
図2は、優先連絡先グループ中心のインタフェースに関する例示的なリストスタイルの通信オプションメニュー(200)の画面ショットである。オプション画面を選択した後、いくつかの通信モードが、アクセス可能である。この例示的な画面(200)に関して、或る通信モードが、利用可能な通信モードのリストの中を移動し、選択キーを押すことによって、またはキーパッド上で対応する番号を押すことによって、選択されることが可能である。図示される通信モードには、電話コールを行うこと(「1. Call」)、テキストメッセージを送信すること(「2. Send Message」)、ピクチャを送信すること(「3. Share Picture」)、ボイスメッセージを送信すること(「4. Send Voice Message」)、インスタントメッセージを送信すること(「5. Send IM」)、および電子メールメッセージを送信すること(「6. Send E-mail」)が含まれる。さらに、例えば、活動ログを見ること(「7. Activity Log」)や、連絡先プロファイルを編集すること(「8. Edit Profile」)などのメンテナンス方法が、オプション画面から選択されることが可能である。
【００２４】
図3は、サービスプロバイダに対する登録/活性化を完了するために、通信デバイスによって使用されることが可能な初回電源投入初期設定シーケンス(300)を示す図である。
【００２５】
最初の電源投入後、タイムアウトが生じ、通信デバイスが、活性化前待ち受け画面310を表示する。サービスプロバイダに対する活性化が、ユーザによって完了された後(例えば、電話コールを介して、会社店舗において、インターネットを介して、または他の手段によって)、SMSメッセージが、通信デバイスに送信される。通信デバイスは、SMSメッセージを受信し、SMS画面320のようなテキストメッセージ受信画面を表示する。ユーザは、SMS画面320から「View」または「Exit」を選択することができる。「View」の選択により、通信デバイスが、ウェルカム画面330のようなウェルカムメッセージを表示させられる。ユーザは、「Options」または「Back」を選択することにより、ウェルカム画面330を抜けることができ、通信デバイスが、活性化後待ち受け画面340として図示される、優先連絡先グループ中心のインタフェースのメイン画面またはデフォルトの画面に移ることがもたらされる。また、SMS画面320からの「Exit」のユーザ選択も、通信デバイスが、活性化後待ち受け画面340に切り替わることをもたらす。
【００２６】
優先連絡先グループ中心のインタフェースが、通信デバイス上で利用可能になると、デフォルトのメイン画面または待ち受け画面が、ユーザの優先連絡先グループ内で考慮される、選択された連絡先グループに関して初期設定されることが可能である。ユーザの優先連絡先グループに関連付けられた特別な遠隔通信価格設定および/またはサービスが、特別な価格設定プランに関連付けられることが可能である。ユーザの優先連絡先が、特別な価格設定プランに合わせられると、ユーザのグループメンバシップが、請求書発行サイクルの始め、または他の何らかの周期的に生じる登録期間中に限って変更されるべきことを、サービスプロバイダが所望することが可能である。ユーザは、通信デバイス、カスタマサービスセンタ担当者、インターネットを介して接続されたコンピュータ、または他の何らかの機構を介して、ユーザの優先連絡先グループのメンバシップを指定することができる。
【００２７】
図4は、例示的な待ち受け画面(400)、およびこの待ち受け画面と関係する他のフィーチャを示す。
【００２８】
部分的にポピュレートされた待ち受け画面が、図4の待ち受け画面410の中で示されるとおり、ユーザの優先連絡先に関連付けられたグラフィック識別子の混合を含む。他のグラフィック識別子が、ユーザによって全く割り当てられていない場合、デフォルトのピクチャアイコン412によって示されるとおり、デフォルトのピクチャアイコンを使用して、グループの中の優先連絡先が表されることが可能である。アイコン414によって示されるとおり、サムネイルサイズのピクチャが、優先連絡先に割り当てられることが可能である。ポピュレートされていない、または割り当てられていないアイコンは、デフォルトのポピュレートされていない連絡先アイコン416で示されるとおり、別の連絡先が、そのグループに割り当てられることが可能であることを示す別のグラフィック識別子を含む。
【００２９】
完全にポピュレートされた待ち受け画面は、図4の画面ショット420に示されるとおり、様々な優先連絡先に関して関連付けられたグラフィック識別子の混合を含む。ユーザの優先連絡先グループの中の各連絡先は、この実施例では、サムネイルピクチャで示されるが、そのように限定されない。オプションのステータス標識が、例示的な標識422および424で示されるとおり、グラフィック標識に動的に割り当てられることが可能である。標識422は、1つの識別された連絡先(例えば、Nate)からの不在電話コールに関するグラフィック標識およびテキスト標識を示す。標識424は、別の識別された連絡先からの電子メールメッセージが待っていることを示す。また、テキストメッセージが待っていること、ボイスメッセージが待っていること、ピクチャメッセージが待っていること、およびその他などの、様々な表示に関して所望されるのに応じて、グラフィックアイコンおよび/またはテキストストリングなどの、その他の標識が、連絡先に関連付けられることも可能である。
【００３０】
また、オプションのステータス標識が、プレゼンス情報、来るべき日付および予約、ならびに特定の連絡先に関連する気分レベルなどの、様々な他の特徴に結び付けられることも可能である。
【００３１】
プレゼンス情報標識は、連絡先の現在の応対可能性ステータス(例えば、「応対可能性」、「応対不能」、「オンライン」、「オフライン」、「ビジー」、「昼食で外出中」、「会議中」、「すぐに戻る」、「不在」)、連絡先のロケーションステータス(「5番街の角にいる」)、ならびにユーザが構成可能な他のプレゼンス標識(例えば、「午後2時に昼食で会いましょう」)を明らかにすることが可能である。
【００３２】
来るべき日付および予約の標識は、連絡先の誕生日、記念日、およびその他の重要な日付および予約を明らかにすることが可能である。
【００３３】
気分レベル標識は、楽しい、悲しい、または不安定などの、もっともらしい気分を優先連絡先に投影するのに利用されることが可能であり、気分レベルは、いくつかの基準に基づいて動的に変更されることが可能である。例えば、ユーザが、優先連絡先と最近、連絡をとっていない場合、またはユーザの優先連絡先グループからの他の連絡先と同じぐらいの頻度で連絡をとっていない場合、気分標識は、その連絡先を悲しいとして示すことが可能である。これに対して、頻繁に連絡がとられている連絡先は、楽しいという気分標識を有することが可能である。また、気分標識は、毎日の星占いなどの、他のアイテムに結び付けられること、またはインスタントメッセージングプログラムなどを介して、連絡先によって提供されるプレゼンスデータに応答して更新されることも可能である。
【００３４】
また、ロケーションベースの技術を使用する連絡先の現在の物理的ロケーション(例えば、ユーザの近く、ユーザと同一の都市内)などの他の情報が、表示されることも可能である。加えて、連絡先と関係する妥当なコンテンツが、表示されることも可能である(例えば、連絡先が、特定のミュージカルグループに関心がある場合、そのミュージカルグループの来るべきコンサートの日付が、チケットを購入するホットリンクとともに、表示されることが可能である)。
【００３５】
図5は、優先連絡先を追加するためのユーザ対話シーケンス(500)の図である。図5のプロセスフロー(500)が、図示されるポピュレートされていない待ち受け画面で始まる。
【００３６】
ユーザは、待ち受け画面から「Select」キー(例えば、ジョイパッド上の中央ボタン、「OK」ボタン、または他のなんらかのボタン)を押して、現在選択されている連絡先グループメンバとして或る連絡先を追加することができる。「Select」キーを押すことにより、現在の画面を「Add Group Contact」ダイアログで置き換える、または現在の画面に重なる(例えば、ポップアップウインドウ)別の画面がもたらされる。ダイアログは、新たな連絡先が、現在選択されているグループ(この実施例では、ポピュレートされてなかった)に追加されることをユーザに知らせる。また、優先連絡先グループ中心のインタフェースは、ユーザが、「Create new」、「Get from phonebook」、または「Back」を選択することも許す。「Back」の選択は、「add contact」ダイアログボックスを取り消し、待ち受け画面に戻る。
【００３７】
「Add Group Contact」ダイアログからの「Create new」の選択は、優先連絡先グループ中心のインタフェースを、名前、番号、ピクチャなどの1つまたは複数のデータエントリフィールドを有する「Create new」テンプレートに遷移させる。また、フィールドは、電子メールアドレス、自宅アドレス、誕生日、好みのアイスクリーム、出生地、およびその他の情報を含め、多種多様なさらなる情報も含むことが可能である。ユーザは、「Back」キーの選択で前の画面に戻ること、または様々なデータエントリフィールドの1つまたは複数にデータを入力することができる。
【００３８】
データは、通信デバイスに関して利用可能な様々なキーおよび/または入力デバイスを使用して、データエントリフィールドに入力されることが可能である。ユーザが、データを入力すると、ユーザは、入力されたデータを取り消す、または「Save」キーを選択することができる。「Cancel」キーを押すことは、優先連絡先グループ中心のインタフェースを、「Add Group Contact」ダイアログである前の画面に戻すのに対して、「Save」キーを押すことは、優先連絡先グループ中心のインタフェースを確認ダイアログに移す。
【００３９】
確認ダイアログは、ユーザの優先連絡先グループからの選択された連絡先に関する情報を保存することを承認するようユーザに要求する。承認は、1つのキーファンクション(例えば、「No」)を押し下げることにより、ユーザによって拒否されることが可能であり、あるいは別のキーファンクション(例えば、「Yes」)を押し下げることによって受け入れられることが可能である。承認の拒否は、プロセスを前の画面に戻す。承認が受け入れられると、入力されたデータが、通信デバイスによって、レコード更新のためにサービスプロバイダに伝送され、サーバが更新されることを示すダイアログ画面が、表示される。
【００４０】
タイムアウト期間が満了した後、処理は、前に選択されたアイコンに関する待機標識(例えば、砂時計)が表示される、待ち受け画面に戻る。サービスプロバイダが、サーバ上の通信デバイスに関するレコードを更新した後、レコードが更新されることに成功したことを示すメッセージ(または、ことによると、何らかの他の誤りが生じた場合、エラーメッセージ)が、通信デバイスに伝送される。更新されたレコードのダイアログ画面は、「OK」ボタンを押すことなどのユーザ対話で消されることが可能であり、ユーザインタフェースは、ポピュレートされた連絡先が今や存在する待ち受け画面を再開する。
【００４１】
図6は、優先連絡先を追加するための優先連絡先グループ中心のインタフェースの別の態様に関するユーザ対話シーケンス(600)の図である。図6のプロセスフロー(600)は、図示されるポピュレートされていない待ち受け画面で始まる。
【００４２】
ユーザは、待ち受け画面から「Select」キー(例えば、ジョイパッド上の中央ボタン、「OK」ボタン、または他のなんらかのボタン)を押して、現在選択されている連絡先グループメンバとして或る連絡先を追加することができる。「Select」キーを押すことにより、現在の画面を「Add Group Contact」ダイアログで置き換える、またはポップアップウインドウスタイルとして現在の画面に重なる別の画面がもたらされる。ダイアログは、新たな連絡先が、現在選択されているグループメンバ(この実施例では、ポピュレートされてなかった)に追加されることをユーザに知らせる。また、ユーザインタフェースは、ユーザが、「Create new」、「Get from phonebook」、または「Back」を選択することも許す。「Back」の選択は、「Add Group Contact」ダイアログボックスを取り消し、待ち受け画面に戻る。
【００４３】
「Add Group Contact」ダイアログから「Get from phonebook」を選択することは、ユーザインタフェースを、連絡先マネージャタイプのアプリケーションなどから、電話帳インタフェースに遷移させる。次に、前に入力された連絡先が、連絡先マネージャにおいて利用可能な様々なキーおよび/または入力デバイスを使用して、電話帳から選択されることが可能である。ユーザが、連絡先を選択すると、ユーザは、その選択を取り消す(例えば、「Back」を選択して)、またはその連絡先に関する電話番号を(例えば、自宅番号、セル電話番号などの利用可能な番号のリストから)選択することができる。所望される電話番号が選択された後、ユーザは、選択された連絡先情報を保存する(例えば、「Save」)、または取り消して、前の画面に戻る(例えば、「Cancel」)ことができる。図6の確認ダイアログ、承認/拒否、および残りの段階は、実質的に、図5に関して説明されるものと同一である。
【００４４】
前述したとおり、ユーザの優先連絡先グループの中の各連絡先は、待ち受け画面上で表示するための関連するグラフィックアイコンを有することが可能である。図7は、優先連絡先に関するピクチャを選択するための例示的なユーザ対話シーケンス(700)の図である。一実施例では、図7の対話は、連絡先が、前述したとおり、連絡先マネージャアプリケーションなどから最初に選択されると、行われる。写真が、連絡先マネージャアプリケーションにおいて連絡先に割り当てられる場合などに、デフォルトのピクチャが、識別された連絡先に既に割り当てられていることも可能である。この実施例の場合、電話番号が選択された後、そのデフォルトのピクチャの承認または拒否を要求するダイアログ画面が、表示される。
【００４５】
デフォルトのピクチャの承認により、グラフィックカーソルと同様に動作するトリミングツールを含む写真編集ツールが開かれる。トリミングツールは、ユーザによってピクチャの所望される領域上に位置付けられることが可能である。また、オプションとして、トリミングツールは、ピクチャ領域のズームインおよびズームアウトを行って、トリミングのための所望されるイメージサイズをもたらすように構成されることも可能である。「トリミング」の選択は、ユーザインタフェースを、トリミングされる写真の承認または拒否を可能にする「Save」ダイアログウインドウに遷移させる。「Back」の選択は、トリミングツールが中止させて、前述した「Use default」ピクチャダイアログ画面である前の画面に戻る。
【００４６】
デフォルトのピクチャが拒否されると、ユーザの優先連絡先に関する様々なデータフィールドを含む別のダイアログ画面が、表示される。すると、ユーザは、ピクチャフィールド上の「Select」キーまたは「Center」キーを押して、通信デバイスに組み込まれたデジタルカメラインタフェース(例えば、「Take Picture」)、「My Photos」などのファイルフォルダ、「Group Contact Icons」などのアイコン、またはダウンロードされたアイコンなどの何らかの他の源などの、いくつかの源から、写真を選択することができる。「Take Picture」の選択は、通信デバイスに、ピクチャをとるためのファシリティを活性化させ、その後、ピクチャをトリミングすること、および前述した様々な承認および拒否のダイアログが、行われる。「My Photos」の選択は、ファイルフォルダからの写真の選択を可能にするファイルマネージャタイプのツールの活性化、トリミングツールの活性化、ならびに前述した様々な承認および拒否のダイアログをもたらす。「Group Contact Icons」の選択は、ファイルフォルダからのアイコンの選択を可能にするファイルマネージャタイプのツールの活性化をもたらし、その後に、前述したとおり、様々な承認および拒否のダイアログが行われる。「Get More Icons」の選択は、さらなるアイコンをユーザがダウンロードすることを可能にするインターネットベースのブラウザ(例えば、WAP)の起動をもたらす。
【００４７】
ユーザが、ユーザの優先連絡先グループのメンバに関連付けられた情報を編集すること、または連絡先を、別のより望ましい連絡先で置き換えることを所望する可能性があることが予想される。図8は、優先連絡先を変更するための例示的な対話シーケンス(800)の図である。待ち受け画面から、選択キーが押し下げられて、ユーザの優先連絡先グループの中のあらかじめ構成された連絡先に関して利用可能な様々なオプションが、呼び戻される。「Options」キーの選択は、ユーザが、選択された連絡先に関して、「Edit Profile」、「Replace Contact」、または「Change Order」のいずれか1つを選択することを許す。「Edit Profile」の選択は、ユーザが、選択されたグループ連絡先に関連付けられたデータフィールドのいずれか1つを変更することを許す。
【００４８】
「Replace Contact」というセクションは、次の請求書発行サイクルまで連絡先を変更することができないという警告メッセージなどの、別のダイアログシリーズ、または連絡先が、月に1回に限って置き換えられることが可能であるという画面警報などの、他の何らかのダイアログを生じさせる。このダイアログ画面は、ネットワークに問い合わせて、ユーザが変更を行うことができないことを確認した結果であることが可能である。次に、承認/拒否ダイアログが実行されて、連絡先を置き換えることを許す。
【００４９】
図9は、ユーザの優先連絡先の提示順序を変更する例示的なユーザ対話シーケンス(900)の図である。また、図8のオプション画面からの「Change Order」選択に関連するユーザ対話も、図9に関連して説明される。「Change Order」選択が行われると、ユーザは、左/右キー、または何らかの他のキーセットを利用して、様々な順序位置を通るように、現在選択されているグループメンバを回転させることができる。この実施例では、画面上の中心軸のまわりのグループメンバに関して、円形配置が、使用される。左キーを押すことは、選択された連絡先を反時計回りに回転させるのに対して、右キーを押すことは、選択された連絡先を時計回りに回転させる。所望される順序位置に達すると、「Done」が、選択されることが可能である。代替として、ユーザは、連絡先の順序付けを変更することを取り消すことができる。
【００５０】
図10は、優先連絡先グループ中心のインタフェースに関連付けられた様々な設定を変更するための例示的なユーザインタフェース対話シーケンス(1000)の図である。この対話は、待ち受け画面で始まり、ユーザが、「Menu」を選択する。設定アイコンを含め、様々なメニューオプションのすべてを表す一連のアイコンが、提示される。設定アイコンは、Sによって図示されるが、任意のグラフィックベースおよび/またはテキストベースのアイコンが、設定アイコンとして利用されることが可能である。ユーザは、選択カーソルを設定アイコンまで移動させ、「Select」を押して、設定メニューを活性化する、または、代替として、「Back」を押して、前の画面(このケースでは、待ち受け画面)に戻る。
【００５１】
設定メニューから、「1. Time & Date」、「2. Display Settings」、「3. Sound Settings」、「4. Group Settings」、「5. Network Services」、および「6. Security」などの、様々な設定パラメータが、アクセス可能である。指定された数字キー(この実施例では、4)を選択すること、またはカーソルを「Group Settings」まで移動させて、選択ボタンを押すことにより、「Group Contacts Settings」メニューが活性化される。また、「Back」対話が使用されて、前の画面に戻ることも可能である。
【００５２】
「Group Contact Settings」メニューから、「1. Hide Group」、「2. Refresh Group」、および「3. About Group Contacts」などの、いくつかの選択が、アクセス可能である。「Hide Group」の選択は、待ち受け画面が、優先連絡先グループを示すことをディスエーブルにし、様々なショートカットの割り当て、および関連する設定を示すダイアログ画面が、表示される。「OK」が選択されると、ダイアログ画面は、消され、グループ連絡先設定メニューは、「1. Hide Group」を「1. Unhide Group」に切り替える。「Refresh Group」の選択により、優先連絡先グループ設定が更新されることを要求するメッセージが、サーバに送信され、リフレッシュすることが、数分を要する可能性があるというダイアログ画面(「OK」で消されることが可能な)が、もたらされる。「About Group Contacts」の選択は、WAPサイトなどのインターネットベースのサイトを起動する。WAPサイトから、無線事業者が、いくつかのさらなるメニュー選択アイテム、現在の設定についてのさらなる情報、または他の任意の所望される対話を提供することができる。
【００５３】
また、設定メニューは、グループ連絡先がアニメ化される様々な様態を選択するオプションをユーザに与えるアニメーション設定などの、他の設定を含むことも可能である。1つの例示的なアニメーション設定では、デバイスのディスプレイ画面上の目に見える連絡先が、現在選択されている連絡先をユーザが変更すると、回転軸を中心として回転することにより、アニメ化される。別の例示的なアニメーション設定では、デバイスのディスプレイ画面上の目に見える連絡先が、フェードイン効果およびフェードアウト効果によってアニメ化される。さらに別の例示的なアニメーション設定では、デバイスのディスプレイ画面上の目に見える連絡先が、フライイン効果およびフライアウト効果によってアニメ化される。また、アニメーション効果をディスエーブルにすることを含め、他の効果が、アニメーション設定で選択されることも可能である。
【００５４】
図11は、ユーザの優先連絡先に関連付けられた様々な呼び出し/通信モードを示す例示的なユーザインタフェース対話シーケンス(1100)の図である。対話は、ユーザが、優先連絡先まで移動して、現在選択されている優先連絡先に関して「Send」キーを押す、または「Select」キーを押すことができる、優先連絡先グループ中心のインタフェースの待ち受け画面で始まる。
【００５５】
待ち受け画面から「Send」キー(または何らかの他のあらかじめ割り当てられたキー)を選択することは、通信デバイスが、現在選択されている連絡先に関連付けられた、事前選択された通信モードを活性化することをもたらす。事前選択された通信モードは、デフォルトの通信モードとして事前構成されること、またはユーザ構成されることが可能である。一実施例では、連絡先グループの中の各連絡先に関する事前選択された通信モードは、互いに異なることが可能である。別の実施例では、連絡先グループの中の各連絡先に関する事前選択された通信モードは、同一である。一実施例では、事前選択された通信モードは、「Calling...」ダイアログ画面で示されるとおり、単に、連絡先に関してあらかじめ指定された電話番号に電話コールを行うことである。
【００５６】
図11に示されるとおり、現在選択されている連絡先への電話コールは、ユーザが、さらなるメニュー画面の間で移動することを要求することなしに、迅速に、容易に行われる。代わりに、現在選択されている連絡先(例えば、「Nate」)は、シングルクリックユーザ選択で選択される。シングルクリックユーザ選択は、専用の選択キー(例えば、「talk」)を押し下げること、ユーザが構成したソフトキーを押し下げること、あるいはタッチ画面、タッチパッド、ジョイパッド、ジョイスティックなどの他の任意のユーザ入力デバイスなどの、任意の手段によって実施されることが可能である。事前選択された通信モード(例えば、「place phone call」)は、デバイス上のシングルクリックで活性化されるので、ユーザインタフェースは、非常に単純で効率的である。
【００５７】
待ち受け画面から「Select」キーを押すことは、通信デバイスが、現在選択されている連絡先に関する通信オプションメニューを活性化することをもたらす。連絡先のリストは、例えば、コールが終了した、またはメッセージが送信された直後に、あるいは短いタイムアウト(例えば、5秒)の後に、元の状態に戻ることが可能である。
【００５８】
通信オプションメニューは、図2に関して説明したのと同様に、「1. Call」、「2. Send Message」、「3. Share Picture」、「4. Send Voice Note」、および「5. Activity Log」などの選択肢セットを含む。通信オプションメニューは、待ち受け画面に戻ることなしに、左および右などのナビゲーションボタンで、選択された連絡先を変更すること、または「Back」に応答して待ち受け画面に戻ることを許す。このメニューから「Call」を選択することにより、前述したように電話コールが行われる。
【００５９】
通信オプションメニューから「Send Message」を選択することにより、テキストメッセージインタフェースが活性化される。ユーザは、メッセージングインタフェースからテキストメッセージを入力して、送信することができる。優先連絡先グループ中心のインタフェースは、現在選択されている優先連絡先に関連付けられたアドレスデータを自動的に取り出し、したがって、「OK」または「Options‐>Send」の選択により、さらなるユーザ対話なしに、そのメッセージが送信される。
【００６０】
通信オプションメニューから「Share Picture」を選択することにより、「1. Take Picture」、「2. My Photos」、および「3. Group Contact Icons」などの選択を含むピクチャ共有インタフェースが活性化される。「Take Picture」の選択により、デジタルピクチャが、電子シャッタ(例えば、「Capture」)を活性化することによってキャプチャされることが可能な、通信デバイス上のデジタルカメラインタフェースが活性化される。「My Photos」の選択により、デジタルピクチャが選択されることが可能な、通信デバイス上のファイルマネージャインタフェースが活性化される。この場合も、ユーザインタフェースは、現在選択されている優先連絡先に関連付けられたアドレスデータを自動的に取り出し、したがって、「OK」または「Options‐>Send」の選択により、さらなるユーザ対話なしに、キャプチャされた、または選択された写真が送信される。
【００６１】
図12は、優先連絡先に関連付けられたさらなる通信モードを示す例示的な優先連絡先グループ中心のインタフェースの対話シーケンス(1200)の図である。対話は、図2に関連して前述したのと同様に、「1. Call」、「2. Send Message」、「3. Share Picture」、「4. Send Voice Note」、および「5. Activity Log」などの選択肢セットを含む通信オプションメニューで始まる。
【００６２】
通信オプションメニューから「Send Voice Note」を選択することにより、ボイスメッセージが、「Record」を選択することによって記録されることが可能なボイスメモインタフェースが活性化される。ユーザは、ボイスメッセージを通信デバイスに口述し、「Stop」キーを押して、記録を終了する。いずれのインタフェースにおいて所望される可能性があるように、ボイスメモインタフェースは、通信オプションメニューなどの前の画面に戻ることを許す「Back」キーフィーチャを有して図示される。前述したのと同様に、優先連絡先グループ中心のインタフェースは、現在選択されている優先連絡先に関連付けられたアドレスデータを自動的に取り出し、したがって、「Send」の選択により、さらなるユーザ対話なしに、記録されたボイスメモが伝送される。
【００６３】
通信オプションメニューから「Activity Log」を選択することにより、選択された連絡先に関連付けられた通信活動ログインタフェースが活性化される。すると、選択された連絡先に関する通信活動が、画面上に表示される。活動ログは、例えば、受信された電話コール、テキストメッセージ、ボイスメモ、ピクチャなどの日付と時刻などの、任意の数の活動を含むことが可能である。活動ログインタフェースは、通信オプションメニューなどの前の画面に戻ることを許す「Back」キーフィーチャを有して図示される。また、「clear history」などのさらなるオプション、およびその他のオプションが、活動ログインタフェースから利用可能であることも可能である。
【００６４】
図13は、優先連絡先に関連付けられた様々な通信モードの選択を示す別の例示的なユーザインタフェース対話シーケンス(1300)の図である。この図に示されるとおり、或る優先連絡先が、待ち受け画面から、現在選択されている連絡先に関する「Select」キーを活性化することにより、最初に選択される。この対話は、図2に関連して前述したのと同様に、「Call」、「Messaging」、「Instant Messaging」、「Email」などの選択肢セットを含む通信オプションメニューを活性化する。
【００６５】
グラフィックアイコンの配置を使用して、現在選択されている連絡先に関して利用可能な通信モードのそれぞれが示される。グラフィックアイコンは、ディスプレイ画面に対する中心軸を中心として配置される。この実施例におけるユーザインタフェースは、左ナビゲーションキーおよび右ナビゲーションキーの選択により、中心軸に対するグラフィックアイコンの各アイコンのロケーションが回転して変化することがもたらされるように構成される。この実施例における、現在選択されている通信モードは、ディスプレイ画面の最下の中央ロケーションに位置するグラフィックアイコンに対応する。また、現在選択されているグラフィックアイコンは、ディスプレイ画面の最下の中央エリアに表示されるテキストストリングも含む。この実施例における選択標識は、グラフィックアイコン、および関連するテキストストリングを囲むボックスで示される。
【００６６】
いずれのインタフェースにおいて所望される可能性があるとおり、「Back」キーフィーチャにより、ユーザが、通信オプションメニューを消して、待ち受けディスプレイ画面などの前の画面に戻ることを許されることが可能である。前述したのと同様に、優先連絡先グループ中心のインタフェースは、選択された通信モードのいずれに関しても、アドレス指定情報を自動的に取り出し、したがって、通信モードの活性化は、シングルクリックだけしか要求しない。
【００６７】
前述した例示的な通信オプションメニューは、画面上の中心軸を中心として回転する円形配置または楕円形配置で構成されるが、線形リスト、垂直リスト、水平リスト、対角リスト、円形、半円形、楕円形、三角形、ダイヤモンド形、U字形、L字形、正方形、四角形、五角形、六角形、別の幾何パターン形状、2次元パターン、および3次元パターンなどの、他の構成も利用可能である。
【００６８】
通信オプションメニューの以上の説明は、中心軸を中心とする回転を使用して説明されるが、アニメーション効果、ハイライト効果、フェードイン効果、フェードアウト効果、フライイン効果、フライアウト効果、ディゾルブイン効果、ディゾルブアウト効果、スパイラルイン効果、スパイラルアウト効果、スライドイン効果、およびスライドアウト効果などのグラフィック効果が、使用されることも可能である。
【００６９】
前述した実施例は、ディスプレイ画面の最下の中央ロケーションが、現在選択されている通信モードに対応する場合に示される。本開示は、そのように限定されず、他の任意の画面ロケーションが、現在選択されている通信モードのために利用されることも可能である。さらに、グラフィックアイコンは、別の実施例では、静止したままであることが可能であり、現在選択されている通信モードのグラフィック標識が、画面をあちこちに移動する。グラフィック標識は、ハイライト効果、選択ボックス、反転ビデオ効果などの任意の所望される効果であることが可能である。
【００７０】
図14は、ダウンロードされたピクチャから優先連絡先に関するグラフィックアイコンを作成するための優先連絡先グループ中心のインタフェースの対話シーケンス(1400)の図である。対話は、「download picture」が、図7などからの、別のメニューから、またはインターネットベースのダウンロードなどの何らかの他の対話によって活性化されると、始まる。ピクチャがダウンロードされた後、ダウンロードが完了したことを示すダイアログ画面が、表示される。ダイアログが、「OK」を選択することによって消されることが可能であり、あるいはダウンロードされたピクチャが、「View」を選択することによって表示されることが可能である。ダイアログが消される、または写真が、同様に「OK」で消されると、「Set As」メニューが、表示される。
【００７１】
「Set As」メニューは、「1. Wallpaper」、「2. Picture ID」、および「3. Group Contact Icon」などの、いくつかの利用可能な選択を有する。「Wallpaper」を選択することにより、ダウンロードされたイメージが、通信デバイスのための背景の壁紙として保存される。「Picture ID」を選択することにより、ダウンロードされたイメージが、連絡先マネージャアプリケーションによって使用されることが可能なような、写真識別子として保存され、あるいは、ことによると、他の用途のためにファイルフォルダの中に格納される。
【００７２】
「Group Contact Icon」を選択することにより、ダウンロードされたイメージが、優先連絡先アイコンとして保存される。一部の実例では、ダウンロードされたピクチャは、まだ適切なフォーマットになってはおらず、イメージは、図7に関連して前述したのと同様なトリミングツールを使用してトリミングされる。他の実例では、ダウンロードされたピクチャは、既に、トリミングされて、優先連絡先アイコンとしてフォーマットされており、さらなるトリミングおよび/またはフォーマットは、全く要求されない。次に、フォーマット済みのアイコンを、ユーザの優先連絡先グループの中の連絡先の1つに割り当てるメニューが、表示される。
【００７３】
図15は、或る連絡先に関連付けられた着信通信通知のための例示的なユーザインタフェース対話シーケンス(1500)の図である。対話は、待ち受け画面などの任意の適切な画面から始まる。着信コールが検出されると、通信デバイス上のディスプレイ画面が、Caller IDによって識別された電話番号、着信コールに関連するグループ連絡先名、およびその連絡先に関連付けられたグラフィック識別子などの、着信コールに関する標識を表示する。ユーザは、図示されるとおり、その着信コールに関して、「accept」または「reject」を選択することができる。
【００７４】
図16A〜図16Eは、優先連絡先グループユーザインタフェースの構成および管理のための例示的なウェブベースのユーザインタフェースの図である。図16Aに示されるとおり、ユーザは、サービスプロバイダから優先連絡先グループプランを選択し、そのプランについてさらに知り、あるいは優先連絡先グループユーザインタフェースのデモを見るように、ウェブページを見て回ることができる。グループ連絡先プランが選択されると、ユーザは、図16Bに示されるとおり、ウェブページを介してグループ連絡先の管理を選択することができる。
【００７５】
「manage group contacts」の選択は、図16Cに示されるとおり、ウェブインタフェースによって扱われることが可能である。各連絡先は、図示されるとおり、グループに追加されることが可能な指定された名前および電話番号を有する。許されていない時点で連絡先を変更しようと試みることは、グループ連絡先が、月に1回だけ変更されることが可能な、図16Cに示されるような通知メッセージをもたらすことが可能である。名前を入力しなかったこと、または重複する名前は、図16Dに示されるとおり、「please enter a name」への通知メッセージをもたらすことが可能である。図16Eは、ウェブリンクを使用して、すべての連絡先が編集される、新たな連絡先が追加される、またはさらなる編集のために既存の連絡先が選択される、グループ連絡先を管理するための別の連絡先管理画面を示す。
【００７６】
図17A〜図17Cは、優先連絡先グループユーザインタフェースの構成および管理のための例示的なWAPベースのユーザインタフェースの図である。
【００７７】
グループ連絡先管理ウェルカム画面が、ユーザが優先連絡先グループにいずれの連絡先を追加するのにも先立って最初に表示される、初期構成が、図17Aに示される。グループ連絡先メンバのそれぞれを追加するためのWAPリンクが、表示される。グループ連絡先メンバ(例えば、連絡先スロット#1)が、ナビゲーションキーを使用して選択される。所望されるグループ連絡先メンバが、ハイライトされると(例えば、破線のボックスを参照)、ユーザは、「Select」を選択して、グループ連絡先メンバを追加するためのWAPリンクに移動することができる。次に、ユーザが、選択された連絡先(例えば、連絡先スロット#1)に関する名前および電話番号を入力する、または「Cancel」を選択することができる、新たなディスプレイ画面が、提示される。ユーザが、「Done」を選択すると、選択されたグループ連絡先メンバ(例えば、スロット#1)への変更を確認する最後の機会をユーザに与える確認画面が、表示されることが可能である。グループ連絡先管理画面は、キャリアネットワークが、更新された連絡先を確認するまで、その選択された連絡先メンバスロットに関する更新通知を表示する。
【００７８】
図17Bは、WAPベースのインタフェースからのグループ連絡先に関するアイコンのユーザ管理の実施例を示す。ユーザが、通信事業者によって提供されるWAPページ上で指定されることが可能な、適切なナビゲーションリンクを選択することにより、WAPベースのインタフェースから、グループ連絡先アイコンをダウンロードすることを選択する。代替として、ユーザは、WAPベースの「Manage Group Contacts」ウェブページからアイコンをダウンロードするWAPリンクを選択することができる。アイコンは、図に示されるとおり、サービス料金と引き換えに、または無料で提供されることが可能である。ダウンロードされると、アイコンは、前述したとおり、優先グループ連絡先のいずれかに割り当てるために利用可能である。
【００７９】
図17Cは、WAPベースのインタフェースからのグループ連絡先アイコンのユーザベースの編集の実施例を示す。ユーザが、前述した様々なナビゲーション方法および選択方法を使用して、「Manage Group Contacts」WAPベースのウェブページ上のWAPリンクから、或るグループ連絡先メンバを選択する。適切なウェブリンクを選択することにより、ユーザは、「Edit Group Contact」WAPベースのウェブページに移動する。選択されたグループ連絡先スロットは、規定された期間内に1回(例えば、月に1回)、既に変更されていることが可能であり、その場合、ユーザは、連絡先に関連付けられた名前を変更することができるが、関連付けられた電話番号は変更することができない。ユーザが、規定された期間内に電話番号を変更していない場合、ユーザは、選択された連絡先に関連付けられた電話番号と名前をともに更新することができる。ユーザが、ウェブページから「Done」を選択すると、情報は、前述したとおり、それに相応してキャリアネットワーク上で更新される。
【００８０】
図18A〜図18Dは、本開示の少なくとも1つの特徴によって構成されたユーザインタフェースに関する例示的なディスプレイ画面に関するさらなる図である。
【００８１】
一部の例示的なユーザインタフェースでは、デフォルトのビューのためのディスプレイ画面(810)が、2つの領域に分割されることが可能である。第1の領域(811)が、ユーザの優先連絡先グループの少なくとも一部の表現を表示するために構成される。第2の領域(812)は、ユーザのユーティリティの少なくとも一部の表現を表示するために構成される。図示されるとおり、ユーザの優先連絡先グループは、アイコンや写真イメージ(例えば、サムネイルとしてのトリミングされた写真)などのグラフィック標識として表現されることが可能であり、優先連絡先グループは、第1の領域(811)内で垂直軸に沿って構成されることが可能である。やはり図示されるとおり、ユーザのユーティリティは、第2の領域(812)内で垂直軸に沿って配置されることが可能なアイコンなどのグラフィック標識として表現されることが可能である。電話機またはPDA/電話機などの移動デバイス上の例示的なユーザユーティリティには、電子メールマネージャ、カレンダマネージャ、連絡先マネージャ、ウェブブラウザ、インスタントメッセンジャユーティリティ、テキストメッセージングユーティリティ、ドキュメントビューア、設定マネージャ、デジタルカメラユーティリティ、ビデオレコーダユーティリティ、ボイスレコーダユーティリティ、メディアプレーヤユーティリティ(例えば、ビデオ、オーディオなど)、ゲーム、およびその他が含まれることが可能である。
【００８２】
ディスプレイ画面810に関するユーザインタフェース対話は、本明細書で前述した対話と実質的に同様である。例えば、優先連絡先グループ(または、現在、表示内にある優先連絡先グループの部分)は、図10に関連して前述し、ディスプレイ画面819によって示されるとおり、隠ぺいファンクションまたは非隠ぺいファンクションを選択することにより、隠されることが可能である。ディスプレイ画面819は、第2の領域(812)内に見られる様々なユーザユーティリティに関する目に見えるアイコンを含むのに対して、第1の領域(811)からの優先連絡先グループは今や、見えないように隠されている。ユーティリティ815のようなユーザユーティリティの1つが、隠されたビューと隠されていないビューの間で優先連絡先リストを切り替えるように指定されることが可能である。
【００８３】
ディスプレイ画面810は、第1の領域(811)と第2の領域(812)が、水平配置で互いに隣接する(すなわち、領域811が、領域812の左側にある、あるいは領域812が、領域811の左側にある)ように構成される。この例示的なユーザインタフェースディスプレイ画面(810)に関して、第1の領域と第2の領域の間のナビゲーションは、1セットのナビゲーションファンクション(例えば、右キーと左キー、ジョイスティック、トラックボール、ホイール、動的に割り当てられるソフトキーなどの左右の動き)によって達せられることが可能であるのに対して、各領域内のナビゲーションは、ナビゲーションファンクションの別のセット(例えば、アップキーとダウンキー、ジョイスティック、トラックボール、ホイール、動的に割り当てられるソフトキーなどの上下の動き)によって達せられることが可能である。また、いくつかを挙げると、垂直配置、水平配置、対角配置を含むが、以上には限定されない、第1の領域と第2の領域の間の他の配置も、企図される。優先グループから連絡先を選択するため、通信を活性化するため、およびその他の機能のためのすべてのさらなるナビゲーションファンクションは、実質的に、前述したのと同一である。
【００８４】
ディスプレイ画面820は、ディスプレイ画面810に関連して説明したのと同様なユーザインタフェースのための別の例示的な表示である。ディスプレイ画面820に関する第1の領域(821)は、この場合も、ユーザの優先連絡先グループの少なくとも一部の表現を表示するために構成されることが可能であるのに対して、第2の領域(822)は、この場合も、ユーザのユーティリティの少なくとも一部の表現を表示するために構成されることが可能である。ディスプレイ画面820によって示されるとおり、ユーザの優先連絡先グループは、アイコンや写真イメージなどのグラフィック標識として表現されることが可能であり、優先連絡先グループは、第1の領域(821)内で回転軸のまわりに円形パターン、半円形パターン、または楕円形パターンで構成されることが可能である。やはり図示されるとおり、ユーザのユーティリティは、第2の領域(821)内で垂直軸に沿って配置されたアイコンなどのグラフィック標識として表現されることが可能である。第1の領域内の現在選択されている連絡先は、現在選択されている連絡先の名前を示すテキストストリング(824)も含むことが可能な、連絡先823によって示されるような、アウトラインセレクタまたはハイライトセレクタで視覚的に示されることが可能である。
【００８５】
ディスプレイ画面820に関するユーザインタフェース対話は、本明細書で前述した対話と実質的に同様である。例えば、優先連絡先グループの表示された部分は、前述し、ディスプレイ画面829によって示されるとおり、隠ぺいファンクションまたは非隠ぺいファンクションを選択することによって隠されることが可能である。ディスプレイ画面829は、この場合も、第2の領域(822)内に見られる様々なユーザユーティリティに関する目に見えるアイコンを含むのに対して、第1の領域(821)からの優先連絡先グループは今や、見えないように隠されている。ユーティリティ825のようなユーザユーティリティの1つが、この場合も、隠されたビューと隠されていないビューの間で優先連絡先リストを切り替えるトグルユーティリティとして指定されることが可能である。
【００８６】
ディスプレイ画面820は、第1の領域(821)と第2の領域(822)が、水平配置で互いに隣接する(すなわち、領域821が、領域822の左側にある、あるいは領域822が、領域821の左側にある)ように構成される。この例示的なユーザインタフェースディスプレイ画面(820)に関して、第1の領域と第2の領域の間のナビゲーションは、1セットのナビゲーションファンクション(例えば、右キーと左キー、ジョイスティック、トラックボール、ホイール、動的に割り当てられるソフトキーなどの左右の動き)によって達せられることが可能であるのに対して、各領域内のナビゲーションは、ナビゲーションファンクションの別のセット(例えば、アップキーとダウンキー、ジョイスティック、トラックボール、ホイール、動的に割り当てられるソフトキーなどの上下の動き)によって達せられることが可能である。また、いくつかを挙げると、垂直配置、水平配置、対角配置を含むが、以上には限定されない、第1の領域と第2の領域の間の他の配置も、企図される。優先グループから連絡先を選択するため、通信を活性化するため、およびその他の機能のためのすべてのさらなるナビゲーションファンクションは、実質的に、前述したのと同一である。
【００８７】
ディスプレイ画面830は、ディスプレイ画面810および820に関連して説明したのと同様なユーザインタフェースのための別の例示的な表示である。ディスプレイ画面830に関する第1の領域(831)が、この場合も、ユーザの優先連絡先グループの少なくとも一部の表現を表示するために構成されるのに対して、第2の領域(832)は、この場合も、ユーザのユーティリティの少なくとも一部の表現を表示するために構成される。ディスプレイ画面830によって示されるとおり、ユーザの優先連絡先グループは、アイコンや写真イメージなどのグラフィック標識として表現されることが可能であり、優先連絡先グループは、第1の領域(831)内で回転軸のまわりに円形パターン、半円形パターン、または楕円形パターンで構成されることが可能である。やはり図示されるとおり、ユーザのユーティリティは、第2の領域(831)内で水平軸に沿って配置されたアイコンなどのグラフィック標識として表現されることが可能である。第1の領域内の現在選択されている連絡先は、この場合も、現在選択されている連絡先の名前を示すテキストストリング(834)も含む、連絡先833によって示されるような、アウトラインセレクタまたはハイライトセレクタで示される。
【００８８】
ディスプレイ画面830に関するユーザインタフェース対話は、本明細書で前述した対話と実質的に同様である。例えば、優先連絡先グループの表示された部分は、前述し、ディスプレイ画面839によって示されるとおり、隠ぺいファンクションまたは非隠ぺいファンクションを選択することによって隠されることが可能である。ディスプレイ画面839は、この場合も、第2の領域(832)内に見られる様々なユーザユーティリティに関する目に見えるアイコンを含むのに対して、第1の領域(831)からの優先連絡先グループは今や、見えないように隠されている。ディスプレイ画面830および839に示されるとおり、現在の領域内で目に見えないさらなるユーティリティが利用可能であることをユーザに知らせる、グラフィックまたはテキストの標識(835)が、第2の領域(832)内で見られることが可能である。一実施形態では、ユーザは、標識(835)を選択して、さらなるユーザユーティリティを見えるようにすることができる。別の実施形態では、ユーザは、単に、標識の方向で移動することを続けて、さらなるユーザユーティリティが、第2の領域(832)内で見えるようになるようにスクロールすることができる。
【００８９】
ディスプレイ画面830は、第1の領域(831)と第2の領域(832)が、垂直配置で互いに隣接する(すなわち、領域831が、領域832の上にある、あるいは領域832が、領域831の上にある)ように構成される。この例示的なユーザインタフェースディスプレイ画面(830)に関して、第1の領域と第2の領域の間のナビゲーションは、1セットのナビゲーションファンクション(例えば、アップキーとダウンキー、ジョイスティック、トラックボール、ホイール、動的に割り当てられるソフトキーなどの上下の動き)によって達せられることが可能であるのに対して、各領域内のナビゲーションは、ナビゲーションファンクションの別のセット(例えば、右キーと左キー、ジョイスティック、トラックボール、ホイール、動的に割り当てられるソフトキーなどの左右の動き)によって達せられることが可能である。また、いくつかを挙げると、垂直配置、水平配置、対角配置を含むが、以上には限定されない、第1の領域と第2の領域の間の他の配置も、企図される。優先グループから連絡先を選択するため、通信を活性化するため、およびその他の機能のためのすべてのさらなるナビゲーションファンクションは、実質的に、前述したのと同一である。
【００９０】
ディスプレイ画面840は、ディスプレイ画面830に関連して説明したのと同様なユーザインタフェースのための別の例示的な表示である。ディスプレイ画面840に関する第1の領域(841)が、この場合も、ユーザの優先連絡先グループの少なくとも一部の表現を表示するために構成されるのに対して、第2の領域(842)は、この場合も、ユーザのユーティリティの少なくとも一部の表現を表示するために構成される。ディスプレイ画面840によって示されるとおり、ユーザの優先連絡先グループは、アイコンや写真イメージなどのグラフィック標識として表現されることが可能であり、優先連絡先グループは、第1の領域(841)内で回転軸のまわりに円形パターン、半円形パターン、または楕円形パターンで構成されることが可能である。ディスプレイ画面840に関するユーザのユーティリティは、第2の領域(841)内で水平軸に沿って配置されたアイコンとして示されることが可能である。例えば、第2の領域内の現在選択されているユーティリティは、現在選択されているユーティリティの名前を「messages」として示すテキストストリング(844)も含む、ユーザユーティリティ843によって示されるような、アイコンのまわりの正方形のアウトラインで示される。
【００９１】
ディスプレイ画面840に関するユーザインタフェース対話は、本明細書で前述した対話と実質的に同様である。例えば、優先連絡先グループの表示された部分は、前述し、ディスプレイ画面849によって示されるとおり、隠ぺいファンクションまたは非隠ぺいファンクションを選択することによって隠されることが可能である。ディスプレイ画面849は、この場合も、第2の領域(842)内に見られる様々なユーザユーティリティに関する目に見えるアイコンを含むのに対して、第1の領域(841)からの優先連絡先グループは今や、見えないように隠されている。ユーティリティ845のようなユーザユーティリティの1つが、隠されたビューと隠されていないビューの間で優先連絡先リストを切り替えるように指定されることが可能である。
【００９２】
ディスプレイ画面840は、第1の領域(841)と第2の領域(842)が、垂直配置で互いに隣接する(すなわち、領域841が、領域842の上にある、あるいは領域842が、領域841の上にある)ように構成される。この例示的なユーザインタフェースディスプレイ画面(840)に関して、第1の領域と第2の領域の間のナビゲーションは、1セットのナビゲーションファンクション(例えば、アップキーとダウンキー、ジョイスティック、トラックボール、ホイール、動的に割り当てられるソフトキーなどの上下の動き)によって達せられることが可能であるのに対して、各領域内のナビゲーションは、ナビゲーションファンクションの別のセット(例えば、右キーと左キー、ジョイスティック、トラックボール、ホイール、動的に割り当てられるソフトキーなどの左右の動き)によって達せられることが可能である。また、いくつかを挙げると、垂直配置、水平配置、対角配置を含むが、以上には限定されない、第1の領域と第2の領域の間の他の配置も、企図される。優先グループから連絡先を選択するため、通信を活性化するため、およびその他の機能のためのすべてのさらなるナビゲーションファンクションは、実質的に、前述したのと同一である。
【００９３】
一部の実施形態では、第1の領域(例えば、ディスプレイ画面810に関する領域811)と第2の領域(例えば、ディスプレイ画面810に関する領域812)を組み合わせて、ディスプレイ画面850によって示されるとおり、単一の領域にすることが、望ましい可能性がある。この実施例の場合、ディスプレイ画面850は、優先連絡先とユーザユーティリティ(または優先連絡先の選択されたグループ化、および/またはユーザユーティリティの選択されたグループ化)のグラフィック表現が、一緒に配置される1つの共通領域を有する。ディスプレイ画面850は、共通領域内で或る軸を中心とする、優先連絡先とユーザのユーティリティを一緒にした円形、半円形、または楕円形の配置を示す。共通の配置は、連絡先とユーザユーティリティの両方の間で移動するために、共通のナビゲーションファンクションセットを使用することを可能にする。現在選択されている連絡先(例えば、853)またはユーザユーティリティは、選択されているものとして示される、あるいはその連絡先またはユーティリティが選択されているという何らかの形態のグラフィック表示および/またはテキスト表示(例えば、854)を含むように、特定の画面ロケーション(例えば、底部中央)に配置されることが可能である。様々な通信機能および他の機能の活性化は、前述したとおり、連絡先に関して同一であり、共通の構成からのワンクリックのアプリケーションまたはユーティリティの起動の追加を伴う。
【００９４】
共通領域の内容は、ユーザによって開始される様々なナビゲーションファンクションに基づいて動的に変わることが可能である。1つの実例では、優先連絡先は、共通領域(851)の第1の部分内に配置され、ユーザのユーティリティは、共通領域(852)の第2の部分内に配置される。第1の部分および第2の部分のロケーションは、ナビゲーションに基づいて変わることが可能である(例えば、ユーザ連絡先が、上方に移動し、ユーザユーティリティが、例えば下方に移動することが可能である)。優先連絡先のグループが、共通領域内で利用可能なグラフィック標識の数を超える別の実例では、ナビゲーションは、共通領域全体が、ユーザユーティリティを欠くことをもたらす可能性がある。ユーザユーティリティの数が、共通領域において利用可能なグラフィック標識の数を超える、さらに別の実例では、ナビゲーションは、共通領域全体が、ユーザ連絡先を欠いていることをもたらす可能性がある。つまり、共通領域は、連絡先とユーティリティの混合、連絡先だけ、またはユーティリティだけを含むことが可能である。
【００９５】
ディスプレイ画面860は、ディスプレイ画面810〜840に関連して説明したのと同様なユーザインタフェースのための別の例示的な表示である。ディスプレイ画面860に関する第1の領域(861)が、この場合も、ユーザの優先連絡先グループの少なくとも一部の表現を表示するために構成されることが可能であるのに対して、第2の領域(862)は、この場合も、ユーザのユーティリティの少なくとも一部の表現を表示するために構成されることが可能である。ディスプレイ画面860によって示されるとおり、ユーザの優先連絡先グループは、アイコンや写真イメージなどのグラフィック標識として表現されることが可能であり、優先連絡先グループは、領域861内で水平線に沿って配置される(オプションとして、画面からスクロールして外れることが可能であり、かつ/または、オプションとして、ディスプレイ画面の一方の終端から他方の終端までラップする)。第1の領域(861)内の現在選択されている連絡先は、この場合も、現在選択されている連絡先の名前を(この実施例では、領域862の下に)示すテキストストリング(864)も含む、連絡先863によって示されるような、アウトラインセレクタまたはハイライトセレクタで示される。
【００９６】
ディスプレイ画面860に関するユーザインタフェース対話は、本明細書で前述した対話と実質的に同様である。例えば、優先連絡先グループの表示された部分は、前述し、ディスプレイ画面869によって示されるとおり、隠ぺいファンクションまたは非隠ぺいファンクションを選択することによって隠されることが可能である。ディスプレイ画面869は、この場合も、第2の領域(862)内に見られる様々なユーザユーティリティに関する目に見えるアイコンを含むのに対して、第1の領域(861)からの優先連絡先グループは今や、見えないように隠されている。この実施例では、第2の領域(862)は、第1の領域(861)が、目に見えないように隠されると、ディスプレイ画面869上で上方の方向に移動され、第2の領域(862)が、目に見えないように隠されると、第1の領域(861)が、ディスプレイ画面869上で上方の方向に移動される。
【００９７】
ディスプレイ画面860は、第1の領域(861)と第2の領域(862)が、垂直配置で互いに隣接する(すなわち、領域861が、領域862の上にある、あるいは領域862が、領域861の上にある)ように構成される。この例示的なユーザインタフェースディスプレイ画面(860)に関して、第1の領域と第2の領域の間のナビゲーションは、1セットのナビゲーションファンクション(例えば、アップキーとダウンキー、ジョイスティック、トラックボール、ホイール、動的に割り当てられるソフトキーなどの上下の動き)によって達せられることが可能であるのに対して、各領域内のナビゲーションは、ナビゲーションファンクションの別のセット(例えば、右キーと左キー、ジョイスティック、トラックボール、ホイール、動的に割り当てられるソフトキーなどの左右の動き)によって達せられることが可能である。また、いくつかを挙げると、垂直配置、水平配置、対角配置を含むが、以上には限定されない、第1の領域と第2の領域の間の他の配置も、企図される。優先グループから連絡先を選択するため、通信を活性化するため、およびその他の機能のためのすべてのさらなるナビゲーションファンクションは、実質的に、前述したのと同一である。
【００９８】
ディスプレイ画面870は、ディスプレイ画面860に関連して説明したのと同様なユーザインタフェースのための別の例示的な表示である。ディスプレイ画面870に関する第1の領域(871)が、この場合も、ユーザの優先連絡先グループの少なくとも一部の表現を表示するために構成されることが可能であるのに対して、第2の領域(872)は、この場合も、ユーザのユーティリティの少なくとも一部の表現を表示するために構成されることが可能である。ディスプレイ画面870によって示されるとおり、ユーザの優先連絡先グループは、アイコンや写真イメージなどのグラフィック標識として表現されることが可能であり、優先連絡先グループは、回転軸のまわりに円形配置、半円形配置、または楕円形配置で構成されることが可能である。例えば、第1の領域(871)内の現在選択されている連絡先は、現在選択されている連絡先の名前を示すテキストストリング(874)も含む、連絡先873によって示されるような、他の連絡先よりも相当に大きいアイコンで示される。
【００９９】
ディスプレイ画面870に関するユーザインタフェース対話は、本明細書で前述した対話と実質的に同様である。例えば、優先連絡先グループの表示された部分は、前述し、ディスプレイ画面879によって示されるとおり、隠ぺいファンクションまたは非隠ぺいファンクションを選択することによって隠されることが可能である。ディスプレイ画面879は、この場合も、第2の領域(872)内に見られる様々なユーザユーティリティに関する目に見えるアイコンを含むのに対して、第1の領域(871)からの優先連絡先グループは今や、見えないように隠され、他の内容が、この領域に置き換わっている。
【０１００】
ディスプレイ画面870は、第1の領域(871)と第2の領域(872)が、垂直配置で互いに隣接する(すなわち、領域871が、領域872の上にある、あるいは領域871が、領域872の上にある)ように構成される。この例示的なユーザインタフェースディスプレイ画面(870)に関して、第1の領域と第2の領域の間のナビゲーションは、1セットのナビゲーションファンクション(例えば、アップキーとダウンキー、ジョイスティック、トラックボール、ホイール、動的に割り当てられるソフトキーなどの上下の動き)によって達せられることが可能であるのに対して、各領域内のナビゲーションは、ナビゲーションファンクションの別のセット(例えば、右キーと左キー、ジョイスティック、トラックボール、ホイール、動的に割り当てられるソフトキーなどの左右の動き)によって達せられることが可能である。また、いくつかを挙げると、垂直配置、水平配置、対角配置を含むが、以上には限定されない、第1の領域と第2の領域の間の他の配置も、企図される。優先グループから連絡先を選択するため、通信を活性化するため、およびその他の機能のためのすべてのさらなるナビゲーションファンクションは、実質的に、前述したのと同一である。
【０１０１】
ディスプレイ画面880は、前述した他のディスプレイ画面の変種である。ディスプレイ画面880は、ユーザの優先連絡先の少なくとも一部の表現、ユーザのユーティリティの少なくとも一部、またはディスプレイ画面850に関連して説明したようなユーザの優先連絡先とユーザのユーティリティの何らかの組み合わせを表示するために構成されることが可能な領域を含む。
【０１０２】
ディスプレイ画面880は、回転軸のまわりのアーチ形の、または半円形の領域のまわりに配置されたユーザのユーティリティに関するアイコンまたはグラフィック標識を含む単一の領域881を含むものとして図示される。ユーティリティの現在選択されている1つが、この実施例では、ディスプレイの中央領域近くに、ユーザユーティリティ873によって示されるように、濃いアウトラインでハイライトされて配置される。ディスプレイの領域886は、現在選択されているユーティリティに関連付けられたグラフィック情報および/またはテキスト情報を提供するように構成される。ディスプレイ画面880によって示される実施例の場合、現在選択されているユーティリティ(885)は、ユーザの優先連絡先リストに対応し、領域886は、優先連絡先リストに関する現在、割り当てられているグラフィック標識の表示を含む。
【０１０３】
ディスプレイ画面880から選択ファンクションを使用して移動することにより、ディスプレイ画面888によって示されるような、現在選択されているユーティリティに関する第2の画面が、活性化される。ディスプレイ画面888は、ユーザの優先連絡先グループの少なくとも一部の表現で領域881を置き換える。図示されるとおり、ユーザの優先連絡先グループは、アイコンや写真イメージ(例えば、サムネイルとしてのトリミングされた写真)などのグラフィック標識として表現されることが可能であり、優先連絡先グループは、回転軸を中心とするアーチ形または半円形のパターンで構成される。この例示的なユーザインタフェースディスプレイ画面(881)の場合、現在選択されている連絡先の間のナビゲーションは、ナビゲーションファンクションセット(例えば、キーの押し下げ、ジョイスティックの動き、トラックボールの動き、ホイールデバイスを転がすことなど)によって達せられることが可能であるのに対して、選択された連絡先に関する他のファンクションの選択は、選択ファンクション(例えば、指定されたキーを押し下げること、ホイールデバイスを内向きに押すこと、ジョイスティックデバイスを、中央の下向きの動きで押すこと、トラックボール、動的に割り当てられるソフトキーなどを下向きに押すこと)を使用して達せられることが可能である。
【０１０４】
ディスプレイ画面889は、ディスプレイ画面888からの選択された連絡先(883)から活性化される通信オプションメニューを示す。この実施例に関して、領域886は、呼び出す、メッセージを読む、メモを見る、ピクチャメッセージ、電子メール、およびオプションなどの、呼び出しオプションを含むプルダウンスタイルのメニュー(すなわち、グラフィックメニュー/テキストメニュー887)でポピュレートされる。呼び出しオプションメニューから、ユーザは、所望される通信方法に移動して、前述したような所望される通信を容易に選択することができる。優先グループから連絡先を選択するため、通信を活性化するため、およびその他の機能のためのすべてのさらなるナビゲーションファンクションは、実質的に、前述したのと同一である。
【０１０５】
以上の詳述、実施例、およびデータにより、実施形態の構成の製造および用法の完全な説明が提供される。主題を、構造上の特徴および/または方法に特有の言い回しで説明してきたが、添付の特許請求の範囲で定義される主題は、必ずしも、以上に説明される特定の特徴、または特定の実施形態に限定されないことを理解されたい。コンピューティングデバイス、通信フィーチャ、アプリケーション、および分散ソフトウェアシステムおよび/または分散ハードウェアシステムの他の多くの構成が、説明される動的ユーザインタフェースを実施するのに使用されることが可能である。このため、以上に説明した特定の特徴および方法は、特許請求の範囲、および実施形態を実施する例示的な形態として開示される。
【図面の簡単な説明】
【０１０６】
【図１】ユーザインタフェース待ち受け画面の様々な構成を示す図である。
【図２】ユーザインタフェースに関する例示的な通信オプションメニューの画面ショットである。
【図３】初回電源投入初期設定シーケンスを示す図である。
【図４】例示的な待ち受け画面、およびこれらの画面と関係する他のフィーチャを示す図である。
【図５】優先連絡先を追加するためのユーザインタフェースに関するユーザ対話シーケンスを示す図である。
【図６】優先連絡先を追加するための優先連絡先グループインタフェースの別の態様に関するユーザ対話シーケンスを示す図である。
【図７】優先連絡先に関するピクチャの選択のための例示的なユーザ対話シーケンスを示す図である。
【図８】優先連絡先の変更のための例示的な対話シーケンスを示す図である。
【図９】ユーザの優先連絡先の順序を変更する例示的なユーザ対話シーケンスを示す図である。
【図１０】優先連絡先グループ中心のインタフェースに関連する様々な設定を変更するための例示的なユーザインタフェース対話シーケンスを示す図である。
【図１１】優先連絡先に関連する様々な通信モードを示す例示的なユーザインタフェース対話シーケンスを示す図である。
【図１２】連絡先に関連するさらなる通信モードを示す例示的なユーザインタフェース対話シーケンスを示す図である。
【図１３】連絡先に関連する様々な通信モードの選択を示す別の例示的なユーザインタフェース対話シーケンスを示す図である。
【図１４】ダウンロードされたピクチャから優先連絡先に関するグラフィックアイコンを作成するためのユーザインタフェース対話シーケンスを示す図である。
【図１５】連絡先に関連する着信通信通知に関する例示的なユーザインタフェース対話シーケンスを示す図である。
【図１６Ａ】優先連絡先グループユーザインタフェースの構成および管理に関する例示的なウェブベースのユーザインタフェースを示す図である。
【図１６Ｂ】優先連絡先グループユーザインタフェースの構成および管理に関する例示的なウェブベースのユーザインタフェースを示す図である。
【図１６Ｃ】優先連絡先グループユーザインタフェースの構成および管理に関する例示的なウェブベースのユーザインタフェースを示す図である。
【図１６Ｄ】優先連絡先グループユーザインタフェースの構成および管理に関する例示的なウェブベースのユーザインタフェースを示す図である。
【図１６Ｅ】優先連絡先グループユーザインタフェースの構成および管理に関する例示的なウェブベースのユーザインタフェースを示す図である。
【図１７Ａ】優先連絡先グループユーザインタフェースの構成および管理のための例示的なWAPベースのユーザインタフェースを示す図である。
【図１７Ｂ】優先連絡先グループユーザインタフェースの構成および管理のための例示的なWAPベースのユーザインタフェースを示す図である。
【図１７Ｃ】優先連絡先グループユーザインタフェースの構成および管理のための例示的なWAPベースのユーザインタフェースを示す図である。
【図１８Ａ】本開示の少なくとも1つの特徴に従って構成されたユーザインタフェースのための例示的なディスプレイ画面に関するさらなる図である。
【図１８Ｂ】本開示の少なくとも1つの特徴に従って構成されたユーザインタフェースのための例示的なディスプレイ画面に関するさらなる図である。
【図１８Ｃ】本開示の少なくとも1つの特徴に従って構成されたユーザインタフェースのための例示的なディスプレイ画面に関するさらなる図である。
【図１８Ｄ】本開示の少なくとも1つの特徴に従って構成されたユーザインタフェースのための例示的なディスプレイ画面に関するさらなる図である。
【符号の説明】
【０１０７】
110  画面ショット
120  画面ショット
130  画面ショット
140  画面ショット
310  活性化前待ち受け画面
320  SMS画面
330  ウェルカム画面
340  活性化後待ち受け画面
400  待ち受け画面
410  待ち受け画面
412  デフォルトのピクチャアイコン
416  デフォルトのポピュレートされていない連絡先アイコン
420  画面ショット
422  標識
424  標識
500  ユーザ対話シーケンス
600  ユーザ対話シーケンス
700  ユーザ対話シーケンス
810  ディスプレイ画面
811  第１の領域
812  第２の領域
820  ディスプレイ画面
821  第１の領域
822  第２の領域
823  連絡先
824  テキストストリング
829  ディスプレイ画面
830  ディスプレイ画面
831  第１の領域
832  第２の領域
834  テキストストリング
835  標識
839  ディスプレイ画面
840  ディスプレイ画面
841  第１の領域
842  第２の領域
844  テキストストリング
849  ディスプレイ画面
850  ディスプレイ画面
853  連絡先
860  ディスプレイ画面
861  第１の領域
862  第２の領域
864  テキストストリング
869  ディスプレイ画面
870  ディスプレイ画面
871  第１の領域
872  第２の領域
874  テキストストリング
880  ディスプレイ画面
883  連絡先
888  ディスプレイ画面
889  ディスプレイ画面
900  ユーザ対話シーケンス
1000  ユーザインタフェース対話シーケンス
1100  ユーザインタフェース対話シーケンス
1300  ユーザインタフェース対話シーケンス
1500  ユーザインタフェース対話シーケンス
【図１】
2009502048.tif 000002
【図２】
2009502048.tif 000003
【図３】
2009502048.tif 000004
【図４】
2009502048.tif 000005
【図５】
2009502048.tif 000006
【図６】
2009502048.tif 000007
【図７】
2009502048.tif 000008
【図８】
2009502048.tif 000009
【図９】
2009502048.tif 000010
【図１０】
2009502048.tif 000011
【図１１】
2009502048.tif 000012
【図１２】
2009502048.tif 000013
【図１３】
2009502048.tif 000014
【図１４】
2009502048.tif 000015
【図１５】
2009502048.tif 000016
【図１６Ａ】
2009502048.tif 000017
【図１６Ｂ】
2009502048.tif 000018
【図１６Ｃ】
2009502048.tif 000019
【図１６Ｄ】
2009502048.tif 000020
【図１６Ｅ】
2009502048.tif 000021
【図１７Ａ】
2009502048.tif 000022
【図１７Ｂ】
2009502048.tif 000023
【図１７Ｃ】
2009502048.tif 000024
【図１８Ａ】
2009502048.tif 000025
【図１８Ｂ】
2009502048.tif 000026
【図１８Ｃ】
2009502048.tif 000027
【図１８Ｄ】
2009502048.tif 000028